(57)【要約】  エアクリーナアセンブリが開示される。一態様では、エアクリーナアセンブリは、入口及び出口を画定し、且つ入口と出口との間にアクセス開口を含む筐体を含む。エアクリーナは、筐体内に受けられ、且つアクセス開口を覆うフィルタカートリッジも含む。エアクリーナは、係止機構も含む。係止機構は、フィルタカートリッジが筐体に設置され、且つそれから取り外され得る係止解除位置と、フィルタカートリッジが筐体内に固定される係止位置との間で移動可能である。フィルタカートリッジ及び係止機構は、フィルタカートリッジが筐体内に設置されるときのみ、係止機構が係止解除位置から係止位置に動かされることを可能にする相互作用特徴を含む。
2020522372.tif 000002
【特許請求の範囲】
【請求項１】
側面搭載型エアフィルタカートリッジであって、
ａ）エアクリーナ筐体の側開口内に設置するように構成された媒体パックであって、入口端部と出口端部との間の長手方向軸に沿って延在し、外周を画定する、媒体パックと、
ｂ）前記媒体パックに対して作動可能に位置決めされたシール配置であって、前記出口流端部に向かって面する軸方向シール表面を画定し、前記軸方向シール表面の一部は、前記長手方向軸に斜角で配置される、シール配置と、
ｃ）前記媒体パックを前記エアクリーナ筐体内に固定するために前記エアクリーナの係止機構と係合するように構成された第１の連結部材であって、前記媒体パックに作動可能に連結され、前記第１の連結部材の一部は、前記媒体パックの出口流端部を超えて軸方向に延在する、第１の連結部材と
を含む側面搭載型エアフィルタカートリッジ。
【請求項２】
前記第１の連結部材の反対側に且つ前記第１又は第２の軸方向端部の近位に置かれた第２の連結部材を更に含む、請求項１に記載の側面搭載型エアフィルタカートリッジ。
【請求項３】
前記第１及び第２の連結部材の一方又は両方は、第１の平面に位置合わせされ、前記第１の平面は、前記媒体パックの長手方向軸を通して延在し、且つ前記媒体パックの対称軸を画定する、請求項１又は２に記載の側面搭載型フィルタカートリッジ。
【請求項４】
前記第１の連結部材は、前記媒体パックの対称軸と位置合わせされた対称軸を有する、請求項１〜３のいずれか一項に記載の側面搭載型フィルタカートリッジ。
【請求項５】
前記第１及び第２の連結部材の一方又は両方は、それぞれ弓形状側壁を含む、請求項１〜４のいずれか一項に記載の側面搭載型エアフィルタカートリッジ。
【請求項６】
各弓形状側壁は、前記媒体パック及び長手方向軸から離れて垂直に延在する、請求項１〜５のいずれか一項に記載の側面搭載型エアフィルタカートリッジ。
【請求項７】
各弓形状側壁は、前記筐体に装着された係止機構上の対応する特徴を受けるための戻り止めを含む、請求項１〜６のいずれか一項に記載の側面搭載型エアフィルタカートリッジ。
【請求項８】
前記筐体に関連した対応する係止機構と相互作用するための少なくとも１つのタブ構造を更に含む、請求項１〜７のいずれか一項に記載の側面搭載型エアフィルタカートリッジ。
【請求項９】
前記少なくとも１つのタブ構造は、前記長手方向軸に平行な方向に延在する、請求項１〜８のいずれか一項に記載の側面搭載型エアフィルタカートリッジ。
【請求項１０】
前記少なくとも１つのタブ構造は、第１のタブ構造が前記媒体パックの出口端部を超えて軸方向に延在し、及び第２のタブ構造が前記媒体パックの入口端部を超えて軸方向に延在するように互いから離れて延在する少なくとも２つのタブ構造を含む、請求項１〜９のいずれか一項に記載の側面搭載型エアフィルタカートリッジ。
【請求項１１】
前記媒体パックの外周を包囲する周囲殻を更に含む、請求項１〜１０のいずれか一項に記載の側面搭載型エアフィルタカートリッジ。
【請求項１２】
カバー部を更に含む、請求項１〜１１のいずれか一項に記載の側面搭載型エアフィルタカートリッジ。
【請求項１３】
前記カバー部は、前記周囲殻と一体形成される、請求項１〜１２のいずれか一項に記載の側面搭載型エアフィルタカートリッジ。
【請求項１４】
前記第１及び第２の連結部材の一方又は両方は、前記カバー部上に提供される、請求項１〜１３のいずれか一項に記載の側面搭載型エアフィルタカートリッジ。
【請求項１５】
タブ構造は、前記カバー部上に提供される、請求項１〜１４のいずれか一項に記載の側面搭載型エアフィルタカートリッジ。
【請求項１６】
前記カバー部は、前記媒体パックをエアクリーナ筐体に設置し、且つそれから取り外すためのハンドルを含み、前記ハンドルは、前記媒体パックの外周の外側にある、請求項１〜１５のいずれか一項に記載の側面搭載型エアフィルタカートリッジ。
【請求項１７】
前記ハンドルは、前記媒体パックの長手方向軸に平行な方向に延在する、請求項１〜１６のいずれか一項に記載の側面搭載型エアフィルタカートリッジ。
【請求項１８】
前記ハンドルは、前記カバー部と一体形成される、請求項１〜１７のいずれか一項に記載の側面搭載型エアフィルタカートリッジ。
【請求項１９】
前記媒体パックは、第１の長さを有し、及び前記ハンドルは、前記第１の長さの大部分である第２の長さを有する、請求項１〜１８のいずれか一項に記載の側面搭載型エアフィルタカートリッジ。
【請求項２０】
側面搭載型エアフィルタカートリッジであって、
ａ）エアクリーナ筐体の側開口内に設置するように構成された媒体パックであって、長手方向軸に沿って延在し、且つ外周を画定する、媒体パックと、
ｂ）前記媒体パックに対して作動可能に位置決めされたシール配置であって、概して入口流端部又は出口流端部に向かって面する軸方向シール表面を画定し、前記軸方向シール表面の一部は、前記長手方向軸に斜角で配置される、シール配置と
を含み、
ｃ）前記軸方向シール表面の第２の区分は、前記軸方向シール表面の第１の区分から、前記軸方向シール表面の第２の区分が、前記軸方向シール表面の第１の区分によって画定された平面又は湾曲表面の外側に落ちるように軸方向に外れる、側面搭載型エアフィルタカートリッジ。
【請求項２１】
前記斜角は、９１〜１３５度である、請求項１〜２０のいずれか一項に記載の側面搭載型エアフィルタカートリッジ。
【請求項２２】
前記斜角は、１００度である、請求項１〜２１のいずれか一項に記載の側面搭載型エアフィルタカートリッジ。
【請求項２３】
前記軸方向シール表面の第１の区分は、第１の斜角で配設され、及び前記軸方向シール表面の第２の区分は、第２の斜角で配設され、前記第２の斜角は、前記第１の斜角より大きい、請求項１〜２２のいずれか一項に記載の側面搭載型フィルタカートリッジ。
【請求項２４】
前記第１の斜角は、９１〜１３５度であり、及び前記第２の斜角は、１３６〜１７９度である、請求項１〜２３のいずれか一項に記載の側面搭載型フィルタカートリッジ。
【請求項２５】
前記第１の斜角は、１００度であり、及び前記第２の斜角は、１５２度である、請求項１〜２４のいずれか一項に記載の側面搭載型フィルタカートリッジ。
【請求項２６】
前記シール配置の第１及び第２の区分の両方は、前記媒体パックの出口端部に斜角で配設される、請求項１〜２５のいずれか一項に記載の側面搭載型エアフィルタカートリッジ。
【請求項２７】
前記軸方向シール表面の第２の区分は、前記第１の平面に斜角で配設される第２の平面に沿って位置合わせされる、請求項１〜２６のいずれか一項に記載の側面搭載型エアフィルタカートリッジ。
【請求項２８】
前記シール配置の前記第１の区分は、前記媒体パックの出口端部によって画定された平面を横切る、請求項１〜２７のいずれか一項に記載の側面搭載型エアフィルタカートリッジ。
【請求項２９】
前記軸方向シール表面の第１及び第２の区分の一方又は両方は、湾曲輪郭形状を有する、請求項１〜２８のいずれか一項に記載の側面搭載型エアフィルタカートリッジ。
【請求項３０】
前記軸方向シール表面の第１及び第２の区分の一方又は両方は、直線輪郭を有する、請求項１〜２９のいずれか一項に記載の側面搭載型エアフィルタカートリッジ。
【請求項３１】
前記軸方向シール表面の第１及び第２の区分は、平面であり、且つ半径方向中間部によって接合される、請求項１〜３０のいずれか一項に記載の側面搭載型エアフィルタカートリッジ。
【請求項３２】
前記軸方向シール表面の第１の区分は、前記軸方向シール表面の全長の大部分を画定する、請求項１〜３１のいずれか一項に記載の側面搭載型エアフィルタカートリッジ。
【請求項３３】
前記シール配置は、射出成形される、請求項１〜３２のいずれか一項に記載の側面搭載型エアフィルタカートリッジ。
【請求項３４】
ａ）前記媒体パックの外周の少なくとも一部を包囲する周囲殻
を更に含み、
ｂ）前記シール配置の少なくとも一部は、前記周囲殻を中心に配設される、請求項１〜３３のいずれか一項に記載の側面搭載型フィルタカートリッジ。
【請求項３５】
ａ）前記周囲殻の少なくとも一部に外接するシール支持フランジ
を更に含み、
ｂ）前記シール配置は、前記シール支持フランジによって支持される、請求項１〜３４のいずれか一項に記載の側面搭載型フィルタカートリッジ。
【請求項３６】
前記シール配置は、前記シール支持フランジ上に射出成形される、請求項１〜３５のいずれか一項に記載の側面搭載型フィルタカートリッジ。
【請求項３７】
前記媒体パックは、溝付き媒体である、請求項１〜３６のいずれか一項に記載の側面搭載型フィルタカートリッジ。
【請求項３８】
前記第１のシール配置は、前記媒体パックの外周の少なくとも一部に外接する、請求項１〜３７のいずれか一項に記載の側面搭載型フィルタカートリッジ。
【請求項３９】
前記媒体パックをエアクリーナ筐体に設置し、且つそれから取り外すためのハンドルを更に含み、前記ハンドルは、前記媒体パックの外周の外側にある、請求項１〜３８のいずれか一項に記載の側面搭載型エアフィルタカートリッジ。
【請求項４０】
前記ハンドルは、前記媒体パックの長手方向軸に平行な方向に延在する、請求項１〜３９のいずれか一項に記載の側面搭載型エアフィルタカートリッジ。
【請求項４１】
前記ハンドルは、カバー部と一体形成される、請求項１〜４０のいずれか一項に記載の側面搭載型エアフィルタカートリッジ。
【請求項４２】
前記媒体パックは、第１の長さを有し、及び前記ハンドルは、前記第１の長さの大部分である第２の長さを有する、請求項１〜４１のいずれか一項に記載の側面搭載型エアフィルタカートリッジ。
【請求項４３】
側面搭載型エアフィルタカートリッジであって、
ａ）エアクリーナ筐体の側開口内に設置するように構成された媒体パックであって、長手方向軸に沿って延在し、且つ外周を画定する、媒体パックと、
ａ）前記媒体パックに対して作動可能に位置決めされ、且つ第１の軸方向シール表面を画定する第１のシール配置と、
ｂ）前記媒体パックに対して作動可能に位置決めされ、且つ第２の軸方向シール表面を画定する第２のシール配置であって、前記第２の軸方向シール表面は、概して前記第１の軸方向シール表面から離れる方に面する、第２のシール配置と
を含み、
ｃ）前記第１及び第２の軸方向シール表面の対応する軸方向に対向する第１の区分間の距離は、前記第１の区分の長さに沿って第１の割合で増加し、前記第１及び第２の軸方向シール表面の対応する軸方向に対向する第２の区分間の距離は、前記第２の区分の長さに沿って第２の割合で増加し、前記第２の割合は、前記第１の割合と異なる、側面搭載型エアフィルタカートリッジ。
【請求項４４】
側面搭載型エアフィルタカートリッジであって、
ａ）エアクリーナ筐体の側開口内に設置するように構成された媒体パックであって、長手方向軸に沿って延在し、且つ外周を画定する、媒体パックと、
ｂ）第１のシール配置であって、前記媒体パックに対して作動可能に位置決めされ、且つ前記第１のシール配置を支持する第１のシール支持フランジと反対側の第１の軸方向シール表面を画定する第１のシール配置と、
ｃ）第２のシール配置であって、前記媒体パックに対して作動可能に位置決めされ、且つ前記第２のシール配置を支持する第２のシール支持フランジと反対側の第２の軸方向シール表面を画定し、前記第２の軸方向シール表面は、概して前記第１の軸方向シール表面から離れる方に面する、第２のシール配置と
を含み、
ｄ）前記媒体パックは、前記第１及び第２の軸方向シール表面の一方又は両方の少なくとも一部を超えて軸方向に延在する、側面搭載型エアフィルタカートリッジ。
【請求項４５】
側面搭載型エアフィルタカートリッジであって、
ａ）エアクリーナ筐体の側開口内に設置するように構成された媒体パックであって、長手方向軸に沿って延在し、且つ外周を画定する、媒体パックと、
ｂ）前記媒体パックに対して作動可能に位置決めされ、且つ第１の軸方向シール表面を画定する第１のシール配置と、
ｃ）前記媒体パックに対して作動可能に位置決めされ、且つ第２の軸方向シール表面を画定する第２のシール配置であって、前記第２の軸方向シール表面は、概して前記第１の軸方向シール表面から離れる方に面する、第２のシール配置と
を含み、
ｄ）前記媒体パックは、前記第１及び第２の軸方向シール表面の一方又は両方の少なくとも一部を超えて軸方向に延在する、側面搭載型エアフィルタカートリッジ。
【請求項４６】
第１のシール配置の第１の区分は、第２のシール配置の第１の区分に第１の斜角で配設される、請求項１〜４５のいずれか一項に記載の側面搭載型エアフィルタカートリッジ。
【請求項４７】
前記第１の斜角は、５〜２０度である、請求項１〜４６のいずれか一項に記載の側面搭載型エアフィルタカートリッジ。
【請求項４８】
第１の軸方向シール表面の第１の区分は、第１の軸方向シールの第２の区分と非平行の関係で配設される、請求項１〜４７のいずれか一項に記載の側面搭載型エアフィルタカートリッジ。
【請求項４９】
第２の軸方向シール表面の第１の区分は、第２の軸方向シールの第２の区分と非平行の関係で配設される、請求項１〜４８のいずれか一項に記載の側面搭載型エアフィルタカートリッジ。
【請求項５０】
前記第１及び第２の軸方向シール表面の第１のｄ区分は、前記媒体パックの出口端部に斜角で配設される、請求項１〜４９のいずれか一項に記載の側面搭載型エアフィルタカートリッジ。
【請求項５１】
前記第１の斜角は、１０〜２０度である、請求項１〜５０のいずれか一項に記載の側面搭載型エアフィルタカートリッジ。
【請求項５２】
前記第１の斜角は、１０度である、請求項１〜５１のいずれか一項に記載の側面搭載型エアフィルタカートリッジ。
【請求項５３】
前記第１及び第２のシール配置の一方又は両方の前記第１の区分は、前記媒体パックの入口又は出口端部によって画定された平面を横切る、請求項１〜５２のいずれか一項に記載の側面搭載型エアフィルタカートリッジ。
【請求項５４】
前記第１及び第２のシール配置の一方又は両方の前記軸方向シール表面の第１及び第２の区分の一方又は両方は、湾曲表面を画定する、請求項１〜５３のいずれか一項に記載の側面搭載型エアフィルタカートリッジ。
【請求項５５】
前記第１及び第２のシール配置の一方又は両方の前記軸方向シール表面の第１及び第２の区分の一方又は両方は、平面表面を画定する、請求項１〜５４のいずれか一項に記載の側面搭載型エアフィルタカートリッジ。
【請求項５６】
前記第１及び第２のシール配置の一方又は両方の前記軸方向シール表面の第１及び第２の区分は、半径方向中間部によって接合される、請求項１〜５５のいずれか一項に記載の側面搭載型エアフィルタカートリッジ。
【請求項５７】
前記第１及び第２のシール配置の一方又は両方の前記軸方向シール表面の第１の区分は、第１の平面に沿って位置合わせされ、及び前記第１及び第２のシール配置の一方又は両方の前記軸方向シール表面の第２の区分は、前記第１の部分と非平行の関係に配設される、請求項１〜５６のいずれか一項に記載の側面搭載型エアフィルタカートリッジ。
【請求項５８】
前記第１及び第２のシール配置の一方又は両方の前記軸方向シール表面の第２の区分は、湾曲表面を画定する、請求項１〜５７のいずれか一項に記載の側面搭載型エアフィルタカートリッジ。
【請求項５９】
ａ）前記周囲殻の少なくとも一部に外接する第１のシール支持フランジ
を更に含み、
ｂ）前記第１のシール配置は、前記第１のシール支持フランジによって支持される、請求項１〜５８のいずれか一項に記載の側面搭載型フィルタカートリッジ。
【請求項６０】
前記第１のシール配置は、前記シール支持フランジ上に射出成形される、請求項１〜５９のいずれか一項に記載の側面搭載型フィルタカートリッジ。
【請求項６１】
ａ）前記周囲殻の少なくとも一部に外接する第１のシール支持フランジと、
ｂ）前記周囲殻の少なくとも一部に外接する第２のシール支持フランジと
を更に含み、
ｃ）前記第１のシール配置は、前記第１のシール支持フランジによって支持され、及び前記第２のシール配置は、前記第２のシール支持フランジによって支持される、請求項１〜６０のいずれか一項に記載の側面搭載型フィルタカートリッジ。
【請求項６２】
前記第１及び第２のシール配置は、前記第１及び第２の支持フランジ上にそれぞれ射出成形される、請求項１〜６１のいずれか一項に記載の側面搭載型フィルタカートリッジ。
【請求項６３】
前記媒体パックは、溝付き媒体である、請求項１〜６２のいずれか一項に記載の側面搭載型フィルタカートリッジ。
【請求項６４】
前記第１及び第２のシール配置の一方又は両方は、前記媒体パックの外周の少なくとも一部に外接する、請求項１〜６３のいずれか一項に記載の側面搭載型フィルタカートリッジ。
【請求項６５】
前記媒体パックをエアクリーナ筐体に設置し、且つそれから取り外すためのハンドルを更に含み、前記ハンドルは、前記媒体パックの外周の外側にある、請求項１〜６４のいずれか一項に記載の側面搭載型エアフィルタカートリッジ。
【請求項６６】
前記ハンドルは、前記媒体パックの長手方向軸に平行な方向に延在する、請求項１〜６５のいずれか一項に記載の側面搭載型エアフィルタカートリッジ。
【請求項６７】
前記ハンドルは、カバー部と一体形成される、請求項１〜６６のいずれか一項に記載の側面搭載型エアフィルタカートリッジ。
【請求項６８】
前記媒体パックは、第１の長さを有し、及び前記ハンドルは、前記第１の長さの大部分である第２の長さを有する、請求項１〜６７のいずれか一項に記載の側面搭載型エアフィルタカートリッジ。
【請求項６９】
エアクリーナアセンブリであって、
ａ）入口及び出口を画定し、且つ前記入口と前記出口との間にアクセス開口を含む筐体と、
ｂ）前記筐体内に受けられたフィルタカートリッジであって、前記アクセス開口を覆う、フィルタカートリッジと、
ｃ）係止機構であって、前記フィルタカートリッジが前記筐体に設置され、且つそれから取り外され得る係止解除位置と、前記フィルタカートリッジが前記筐体内に固定される係止位置との間で移動可能である、係止機構と
を含み、
ｄ）前記フィルタカートリッジ及び係止機構は、前記フィルタカートリッジが前記筐体内に設置されるときのみ、前記係止機構が前記係止解除位置から前記係止位置に動かされることを可能にする相互作用特徴を含む、エアクリーナアセンブリ。
【請求項７０】
前記相互作用特徴は、前記フィルタカートリッジ上のタブ及び前記係止機構内に装着された係止バネを含む、請求項６９に記載のエアクリーナアセンブリ。
【請求項７１】
前記係止バネは、弛緩位置と偏向位置との間で移動可能であり、前記バネが前記弛緩位置にあるとき、前記係止バネは、前記係止機構が前記係止解除位置から回転して外れることを防止されるように前記係止機構の操作部の回転を防止する、請求項６９又は７０に記載のエアクリーナアセンブリ。
【請求項７２】
前記係止バネは、前記係止バネが前記弛緩位置にあるときに前記操作部と係合するラッチ部を含む、請求項６９〜７１のいずれか一項に記載のエアクリーナアセンブリ。
【請求項７３】
前記ラッチ部は、前記係止バネが前記弛緩位置にあるとき、前記操作部の側縁部と係合する、請求項６９〜７２のいずれか一項に記載のエアクリーナアセンブリ。
【請求項７４】
前記フィルタカートリッジの前記タブは、前記フィルタカートリッジが前記筐体内に完全に設置されるとき、前記係止バネを前記偏向位置に動かす、請求項６９〜７３のいずれか一項に記載のエアクリーナアセンブリ。
【請求項７５】
前記係止機構は、２つの係止機構を含む、請求項６９〜７４のいずれか一項に記載のエアクリーナアセンブリ。
【請求項７６】
前記係止機構は、前記係止機構が前記係止位置にあるときに前記フィルタカートリッジの一部と係合する回転可能な操作部を含む、請求項６９〜７５のいずれか一項に記載のエアクリーナアセンブリ。
【請求項７７】
媒体パックを前記エアクリーナ筐体に設置し、且つそれから取り外すためのハンドルを更に含み、前記ハンドルは、媒体パックの外周の外側にある、請求項６９〜７６のいずれか一項に記載のエアクリーナアセンブリ。
【請求項７８】
前記ハンドルは、媒体パックの長手方向軸に平行な方向に延在する、請求項６９〜７７のいずれか一項に記載のエアクリーナアセンブリ。
【請求項７９】
前記ハンドルは、カバー部と一体形成される、請求項６９〜７８のいずれか一項に記載のエアクリーナアセンブリ。
【請求項８０】
前記媒体パックは、第１の長さを有し、及び前記ハンドルは、前記第１の長さの大部分である第２の長さを有する、請求項６９〜７９のいずれか一項に記載のエアクリーナアセンブリ。
【請求項８１】
エアフィルタカートリッジをエアクリーナ筐体内に固定するための係止機構であって、
ａ）前記エアフィルタカートリッジの筐体に装着するように構成された基部と、
ｂ）前記基部に回転可能に装着された操作部であって、係止解除位置と係止位置との間で回転可能である、操作部と、
ｃ）前記基部に装着された係止バネであって、弛緩位置と偏向位置との間で移動可能であり、前記係止バネが前記弛緩位置にあるとき、前記操作部は、前記係止解除位置から前記係止位置に回転することを防止される、係止バネと
を含む係止機構。
【請求項８２】
前記操作部は、前記係止バネを前記弛緩位置から前記係止位置に動かすために、前記フィルタカートリッジのタブ部を受けるための陥凹領域を画定する、請求項８１に記載の係止機構。
【請求項８３】
前記係止バネの一部は、前記操作部の陥凹領域内に延在する、請求項８１又は８２に記載の係止機構。
【請求項８４】
前記係止バネは、前記係止バネが前記弛緩位置にあるときに前記操作部と係合するラッチ部を含む、請求項８１〜８３のいずれか一項に記載の係止機構。
【請求項８５】
前記ラッチ部は、前記係止バネが前記弛緩位置にあるとき、前記操作部の側縁部と係合する、請求項８１〜８４のいずれか一項に記載の係止機構。
【請求項８６】
前記操作部を前記基部に固定する止め輪を更に含む、請求項８１〜８５のいずれか一項に記載の係止機構。
【請求項８７】
前記操作部は、前記基部を通して延在するステム部を含み、前記止め輪は、前記操作部を前記基部に固定するために前記ステムに装着される、請求項８１〜８６のいずれか一項に記載の係止機構。
【請求項８８】
前記基部は、前記基部を前記エアクリーナ筐体に固定するための装着特徴を含む、請求項８１〜８７のいずれか一項に記載の係止機構。
【請求項８９】
前記係止機構は、係止バネの対を含む、請求項８１〜８８のいずれか一項に記載の係止機構。
【請求項９０】
前記係止機構は、陥凹領域の対を含む、請求項８１〜８９のいずれか一項に記載の係止機構。
【請求項９１】
エアクリーナアセンブリであって、
ａ）入口及び出口を画定し、且つ前記入口と前記出口との間にアクセス開口を含む筐体と、
ｂ）前記筐体内に受けられたフィルタカートリッジであって、前記アクセス開口を覆うカバー部を含み、前記カバー部は、タブ構造を含む、フィルタカートリッジと、
ｃ）係止機構であって、
（ｉ）前記エアフィルタカートリッジの前記筐体に装着された基部と、
（ｉｉ）前記基部に回転可能に装着された操作部であって、係止解除位置と係止位置との間で回転可能である、操作部と、
（ｉｉｉ）前記基部に装着された係止バネであって、弛緩位置と偏向位置との間で移動可能であり、前記係止バネが前記弛緩位置にあるとき、前記操作部は、前記係止解除位置から前記係止位置に回転することを防止される、係止バネと
を含む係止機構と
を含むエアクリーナアセンブリ。
【請求項９２】
前記操作部は、前記基部の中央孔内に受けられたステム部を含み、前記操作部は、前記ステム部に装着された止め輪によって前記基部に固定される、請求項６９〜８０又は９１のいずれか一項に記載のエアクリーナアセンブリ。
【請求項９３】
前記操作部は、前記フィルタカートリッジの前記タブ構造を受けるための陥凹領域を画定し、前記タブ構造は、前記フィルタカートリッジが前記筐体内に設置されるとき、前記係止バネを前記弛緩位置から前記係止位置に動かす、請求項６９〜８０又は９１若しくは９２のいずれか一項に記載のエアクリーナアセンブリ。
【請求項９４】
前記係止バネは、前記係止バネが前記弛緩位置にあるときに前記操作部と係合するラッチ部を含む、請求項６９〜８０又は９１〜９３のいずれか一項に記載のエアクリーナアセンブリ。
【請求項９５】
前記係止機構は、係止バネの対を含む、請求項６９〜８０又は９１〜９４のいずれか一項に記載のエアクリーナアセンブリ。
【請求項９６】
前記係止機構は、陥凹領域の対を含む、請求項６９〜８０又は９１〜９５のいずれか一項に記載のエアクリーナアセンブリ。
【請求項９７】
前記媒体パックを前記エアクリーナ筐体に設置し、且つそれから取り外すためのハンドルを更に含み、前記ハンドルは、前記媒体パックの外周の外側にある、請求項６９〜８０又は９１〜９６のいずれか一項に記載のエアクリーナアセンブリ。
【請求項９８】
前記ハンドルは、前記媒体パックの長手方向軸に平行な方向に延在する、請求項６９〜８０又は９１〜９７のいずれか一項に記載のエアクリーナアセンブリ。
【請求項９９】
前記ハンドルは、カバー部と一体形成される、請求項６９〜８０又は９１〜９８のいずれか一項に記載のエアクリーナアセンブリ。
【請求項１００】
前記媒体パックは、第１の長さを有し、及び前記ハンドルは、前記第１の長さの大部分である第２の長さを有する、請求項６９〜８０又は９１〜９９のいずれか一項に記載のエアクリーナアセンブリ。
【請求項１０１】
フィルタ筐体であって、
ａ）第１の端部と第２の端部との間に延在する本体であって、前記第１の端部と前記第２の端部との間にアクセス開口を画定し、前記アクセス開口は、フィルタカートリッジを受けるためのものであり、前記本体は、前記出口端部に置かれた第１のフランジを有する、本体と、
ｂ）基部端部と出口端部との間に延在する出口本体であって、前記基部端部の近位に出口本体のフランジを有し、前記出口本体のフランジが前記本体の第１のフランジに隣接するように前記本体に連結され、前記第１のフランジは、前記出口本体のフランジと前記出口本体の出口端部との間に置かれる、出口本体と
を含むフィルタ筐体。
【請求項１０２】
前記出口本体は、スナップ嵌合連結で前記本体に連結される、請求項１０１に記載のフィルタ筐体。
【請求項１０３】
前記出口本体は、第１のシール表面であって、それに対して、前記本体内に配設されたフィルタカートリッジがシールを形成することができる第１のシール表面を画定する、請求項１０１又は１０２に記載のフィルタ筐体。
【請求項１０４】
前記出口本体は、前記フィルタカートリッジで第１のシールを形成するために、前記第１のシール表面を画定する第１のシールフランジを画定する、請求項１０１〜１０３のいずれか一項に記載のフィルタ筐体。
【請求項１０５】
ａ）前記入口端部に置かれた本体の第２のフランジと、
ｂ）基部端部と入口端部との間に延在する入口本体であって、前記基部端部の近位に入口本体のフランジを有し、前記入口本体のフランジが前記本体の第２のフランジに隣接するように前記本体に連結され、前記第２のフランジは、前記入口本体のフランジと前記出口本体の入口端部との間に置かれる、入口本体と
を更に含む、請求項１０１〜１０４のいずれか一項に記載のフィルタ筐体。
【請求項１０６】
前記入口本体は、スナップ嵌合連結で前記本体に連結される、請求項１０１〜１０５のいずれか一項に記載のフィルタ筐体。
【請求項１０７】
前記入口本体は、前記本体内に収納されたフィルタカートリッジで第２のシールを形成するために、第２のシール表面を画定する第２のシールフランジを画定する、請求項１０１〜１０６のいずれか一項に記載のフィルタ筐体。
【請求項１０８】
フィルタ筐体であって、
ａ）第１の端部と第２の端部との間に延在する本体であって、前記第１の端部と前記第２の端部との間にアクセス開口を画定し、前記アクセス開口は、フィルタカートリッジを受けるためのものであり、前記本体は、前記入口端部に置かれた第１のフランジを有する、本体と、
ｂ）基部端部と入口端部との間に延在する入口本体であって、前記基部端部の近位に入口本体のフランジを有し、前記入口本体のフランジが前記本体の第１のフランジに隣接するように前記本体に連結され、第２のフランジは、前記入口本体のフランジと前記出口本体の入口端部との間に置かれる、入口本体と
を含むフィルタ筐体。
【請求項１０９】
前記入口本体は、スナップ嵌合連結で前記本体に連結される、請求項１０１〜１０８のいずれか一項に記載のフィルタ筐体。
【請求項１１０】
前記入口本体は、第１のシール表面であって、それに対して、前記本体内に配設されたフィルタカートリッジがシールを形成することができる第１のシール表面を画定する、請求項１０１〜１０９のいずれか一項に記載のフィルタ筐体。
【請求項１１１】
前記入口本体は、前記フィルタカートリッジで第１のシールを形成するために、前記第１のシール表面を画定する第１のシールフランジを画定する、請求項１０１〜１１０のいずれか一項に記載のフィルタ筐体。
【請求項１１２】
ａ）前記入口端部に置かれた本体の第２のフランジと、
ｂ）基部端部と出口端部との間に延在する出口本体であって、前記基部端部の近位に出口本体のフランジを有し、前記出口本体のフランジが本体の第２のフランジに隣接するように前記本体に連結され、前記第２のフランジは、前記出口本体のフランジと前記出口本体の出口端部との間に置かれる、出口本体と
を更に含む、請求項１０１〜１１１のいずれか一項に記載のフィルタ筐体。
【請求項１１３】
前記出口本体は、スナップ嵌合連結で前記本体に連結される、請求項１０１〜１１２のいずれか一項に記載のフィルタ筐体。
【請求項１１４】
前記出口本体は、第２のシール表面であって、それに対して、前記本体内に配設されたフィルタカートリッジがシールを形成することができる第２のシール表面を画定する、請求項１０１〜１１３のいずれか一項に記載のフィルタ筐体。
【請求項１１５】
前記出口本体は、前記フィルタカートリッジで第２のシールを形成するために、前記第２のシール表面を画定する第２のシールフランジを画定する、請求項１０１〜１１４のいずれか一項に記載のフィルタ筐体。
【請求項１１６】
エアクリーナ筐体であって、
ａ）第１の端部と第２の端部との間に延在する本体であって、前記第１の端部と前記第２の端部との間にアクセス開口を画定し、前記アクセス開口は、フィルタカートリッジを受けるためのものであり、前記本体は、前記出口端部に置かれた第１のフランジを有する、本体と、
ｂ）基部端部と出口端部との間に延在する出口本体であって、前記基部端部の近位に出口本体のフランジを有し、前記出口本体のフランジが前記本体の第１のフランジに隣接するように前記本体に連結され、前記第１のフランジは、前記出口本体のフランジと前記出口本体の出口端部との間に置かれる、出口本体と、
ｃ）基部端部と入口端部との間に延在する入口本体であって、前記基部端部の近位に入口本体のフランジを有し、前記入口本体のフランジが本体の第２のフランジに隣接するように前記本体に連結され、前記第２のフランジは、前記入口本体のフランジと前記出口本体の入口端部との間に置かれる、入口本体と
を含むエアクリーナ筐体。
【請求項１１７】
前記入口本体及び前記出口本体は、スナップ嵌合連結で前記本体に連結される、請求項１１６に記載のフィルタ筐体。
【請求項１１８】
前記出口本体は、第１のシール表面であって、それに対して、前記本体内に配設されたフィルタカートリッジが第１のシールを形成することができる第１のシール表面を画定し、及び前記入口本体は、第２のシール表面であって、それに対して前記フィルタカートリッジが第２のシールを形成することができる第２のシール表面を画定する、請求項１１６又は１１７に記載のフィルタ筐体。
【請求項１１９】
前記出口本体は、前記第１のシール表面を画定する第１のシールフランジを画定し、及び前記入口本体は、前記第２のシール表面を画定する第２のシールフランジを画定する、請求項１１６〜１１８のいずれか一項に記載のフィルタ筐体。
【請求項１２０】
前記入口本体は、プレクリーナ空気分離器を含み、及び前記出口本体は、二次フィルタカートリッジを収納するように構成される、請求項１１６〜１１９のいずれか一項に記載のフィルタ筐体。
【請求項１２１】
エアクリーナアセンブリであって、
ａ）入口及び出口を画定し、且つ前記入口と前記出口との間にアクセス開口を含む筐体と、
ｂ）前記筐体内に作動可能に設置されたエアフィルタカートリッジと、
ｃ）前記筐体の外側上に置かれた装着配置の対であって、前記装着配置の対のそれぞれは、少なくとも１つの装着ボルトを摺動可能に保持する、装着配置の対と
を含むエアクリーナアセンブリ。
【請求項１２２】
前記筐体は、チャネル構造の対を画定し、前記装着配置の対のそれぞれは、前記チャネル構造の対の一方内に設置される、請求項６９〜８０、９１〜１００又は１２１のいずれか一項に記載のエアクリーナアセンブリ。
【請求項１２３】
前記装着配置の対のそれぞれは、第１のチャネル部及び第２のチャネル部を含み、前記第２のチャネル部は、前記第２のチャネル部内に受けられる、請求項６９〜８０、９１〜１００又は１２１若しくは１２２のいずれか一項に記載のエアクリーナアセンブリ。
【請求項１２４】
前記第１のチャネル部は、前記装着構造内に前記少なくとも１つの装着ボルトの頭部を保持するフランジ部を含む、請求項６９〜８０、９１〜１００又は１２１〜１２３のいずれか一項に記載のエアクリーナアセンブリ。
【請求項１２５】
前記第２のチャネル部は、前記少なくとも１つの装着ボルトの前記頭部が前記装着構造に対して回転することを防止する側壁を含む、請求項６９〜８０、９１〜１００又は１２１〜１２４のいずれか一項に記載のエアクリーナアセンブリ。
【請求項１２６】
前記第１のチャネル部の対のそれぞれの前記第１のチャネル部のフランジ部は、前記少なくとも１つの装着ボルトの前記頭部を受けるための開口を画定する、請求項６９〜８０、９１〜１００又は１２１〜１２５のいずれか一項に記載のエアクリーナアセンブリ。
【請求項１２７】
前記装着配置の対のそれぞれは、前記第２のチャネル部内に位置決めされた弾性の細長いスペーサを含み、前記スペーサは、前記少なくとも１つの装着ボルトの位置を保持し、且つ前記少なくとも１つの装着ボルトと前記装着構造との間の振動を減衰するためのものである、請求項６９〜８０、９１〜１００又は１２１〜１２６のいずれか一項に記載のエアクリーナアセンブリ。
【請求項１２８】
前記少なくとも１つの装着ボルトは、装着ボルトの対を含む、請求項６９〜８０、９１〜１００又は１２１〜１２７のいずれか一項に記載のエアクリーナアセンブリ。
【請求項１２９】
前記チャネル構造の対に固定された複数の装着クリップを更に含み、前記複数の装着クリップは、前記エアクリーナアセンブリに固定装着位置を提供するためのものである、請求項６９〜８０、９１〜１００又は１２１〜１２８のいずれか一項に記載のエアクリーナアセンブリ。
【請求項１３０】
前記複数の装着クリップのそれぞれは、装着ボルトを受けるためのネジ付き連結部を含む、請求項６９〜８０、９１〜１００又は１２１〜１２９のいずれか一項に記載のエアクリーナアセンブリ。
【請求項１３１】
前記複数の装着クリップのそれぞれは、スナップ嵌合連結で前記筐体に取り付けられる、請求項６９〜８０、９１〜１００又は１２１〜１３０のいずれか一項に記載のエアクリーナアセンブリ。
【請求項１３２】
エアクリーナアセンブリであって、
ａ）入口及び出口を画定し、且つ前記入口と前記出口との間にアクセス開口を含む筐体と、
ｂ）前記筐体の内部領域内に受けられたフィルタカートリッジであって、挿入輪郭部を画定する、フィルタカートリッジと、
ｃ）前記筐体の内部に置かれた位置決め配置であって、前記フィルタカートリッジの前記挿入輪郭部に補完的な形状を有する内部輪郭を画定し、前記フィルタカートリッジは、前記フィルタカートリッジが単一の方向に配向されるときのみ、前記筐体の前記内部領域内に完全に挿入され得る、位置決め配置と
を含むエアクリーナアセンブリ。
【請求項１３３】
前記位置決め配置は、２つの位置決め配置を含み、及び前記フィルタカートリッジの挿入輪郭部は、２つの輪郭部を含む、請求項６９〜８０、９１〜１００、１２１〜１３１又は１３２のいずれか一項に記載のエアクリーナ。
【請求項１３４】
前記媒体パックを前記エアクリーナ筐体に設置し、且つそれから取り外すためのハンドルを更に含み、前記ハンドルは、前記媒体パックの外周の外側にある、請求項６９〜８０、９１〜１００、１２１〜１３１又は１３２若しくは１３３のいずれか一項に記載のエアクリーナアセンブリ。
【請求項１３５】
前記ハンドルは、前記媒体パックの長手方向軸に平行な方向に延在する、請求項６９〜８０、９１〜１００、１２１〜１３１又は１３２〜１３４のいずれか一項に記載のエアクリーナアセンブリ。
【請求項１３６】
前記ハンドルは、カバー部と一体形成される、請求項６９〜８０、９１〜１００、１２１〜１３１又は１３２〜１３５のいずれか一項に記載のエアクリーナアセンブリ。
【請求項１３７】
前記媒体パックは、第１の長さを有し、及び前記ハンドルは、前記第１の長さの大部分である第２の長さを有する、請求項６９〜８０、９１〜１００、１２１〜１３１又は１３２〜１３６のいずれか一項に記載のエアクリーナアセンブリ。
【請求項１３８】
エアフィルタカートリッジをエアクリーナ筐体内に固定するためのアクセスカバーであって、
ａ）第１の軸方向端部と第２の軸方向端部との間及び外側と内側との間に延在する本体であって、前記内側は、閉鎖力を前記エアフィルタカートリッジ上に掛けるように適合される、本体、
ｂ）前記アクセスカバーの本体に作動可能に連結された第１の連結部材であって、前記本体の第１の軸方向端部の近位に置かれ、前記本体の軸方向位置を前記筐体に対して固定し、且つ前記アクセスカバーが前記第１の連結部材によって前記エアクリーナ筐体に固定されるときに前記閉鎖力を生成するために前記エアクリーナ筐体の係止機構と相互作用する、第１の連結部材
を含むアクセスカバー。
【請求項１３９】
前記第１の連結部材と反対側で前記第２の軸方向端部の近位に置かれた第２の連結部材を更に含む、請求項１３８に記載のアクセスカバー。
【請求項１４０】
前記第１及び第２の連結部材の一方又は両方は、前記本体と一体形成される、請求項１３８又は１３９に記載のアクセスカバー。
【請求項１４１】
前記第１及び第２の連結部材の一方又は両方は、それぞれ弓形状側壁を含む、請求項１３８〜１４０のいずれか一項に記載のアクセスカバー。
【請求項１４２】
各弓形状側壁は、媒体パック及び長手方向軸から離れて直角に延在する、請求項１３８〜１４１のいずれか一項に記載のアクセスカバー。
【請求項１４３】
各弓形状側壁は、前記筐体に装着された係止機構上の対応する特徴を受けるための戻り止めを含む、請求項１３８〜１４２のいずれか一項に記載のアクセスカバー。
【請求項１４４】
前記第１及び第２の連結部材の一方又は両方は、前記筐体に関連した対応する係止機構と相互作用するためのタブ構造をそれぞれ含む、請求項１３８〜１４３のいずれか一項に記載のアクセスカバー。
【請求項１４５】
前記第１及び第２の連結部材の前記タブ構造の一方又は両方は、前記長手方向軸に平行な方向に延在する、請求項１３８〜１４４のいずれか一項に記載のアクセスカバー。
【請求項１４６】
前記第１及び第２の連結部材の一方又は両方の前記タブ構造は、第１のタブ構造が媒体パックの出口端部を超えて軸方向に延在し、及び第２のタブ構造が媒体パックの入口端部を超えて軸方向に延在するように互いから離れて延在する、請求項１３８〜１４５のいずれか一項に記載のアクセスカバー。
【請求項１４７】
前記第１及び第２の連結部材の一方又は両方の前記タブ構造は、軸方向に延在する平行なタブの対をそれぞれ含む、請求項１３８〜１４６のいずれか一項に記載のアクセスカバー。
【請求項１４８】
各弓形状側壁は、前記タブ構造の１つによって少なくとも部分的に支持される、請求項１３８〜１４７のいずれか一項に記載のアクセスカバー。
【請求項１４９】
前記本体は、一体形成されたハンドルを含む、請求項１３８〜１４８のいずれか一項に記載のアクセスカバー。
【請求項１５０】
前記ハンドルは、前記連結特徴の対間で軸方向に延在する、請求項１３８〜１４９のいずれか一項に記載のアクセスカバー。
【請求項１５１】
前記本体は、長手方向対称軸を有する、請求項１３８〜１５０のいずれか一項に記載のアクセスカバー。
【請求項１５２】
前記本体は、横方向対称軸を有する、請求項１３８〜１５１のいずれか一項に記載のアクセスカバー。
【請求項１５３】
側面搭載型エアフィルタカートリッジであって、
ａ）エアクリーナ筐体の側開口内に設置するように構成された媒体パックであって、入口面と出口面との間の長手方向軸に沿って延在し、外周を画定する、媒体パックと、
ｂ）前記媒体パックに対して作動可能に位置決めされたシール配置であって、出口流端部に向かって面する軸方向シール表面を画定し、前記軸方向シール表面の一部は、前記長手方向軸に斜角に配置される、シール配置と、
ｃ）前記媒体パックをエアクリーナ筐体内に固定するためのアクセスカバーであって、第１の軸方向端部と第２の軸方向端部との間及び外側と内側との間に延在する本体を含み、前記アクセスカバーの第１及び第２の軸方向端部は、前記媒体パックの前記入口面及び出口面を超えて延在し、前記第１及び第２の内側は、閉鎖表面を画定するために前記媒体パックの外周を超えて延在し、前記閉鎖表面は、前記長手方向軸に対して変化する輪郭を有し、且つ前記媒体パックの長手方向軸に直角な第１の対称軸を有する、アクセスカバーと
を含む側面搭載型エアフィルタカートリッジ。
【請求項１５４】
前記アクセスカバーは、前記媒体パックの長手方向軸に平行な第２の対称軸を有する、請求項１〜６７又は１５３のいずれか一項に記載の側面搭載型エアフィルタカートリッジ。
【請求項１５５】
前記第１の連結部材と反対側で前記第２の軸方向端部の近位に置かれた第２の連結部材を更に含む、請求項１〜６７又は１５３若しくは１５４のいずれか一項に記載の側面搭載型エアフィルタカートリッジ。
【請求項１５６】
前記第１及び第２の連結部材の一方又は両方は、前記本体と一体形成される、請求項１〜６７又は１５３〜１５５のいずれか一項に記載の側面搭載型エアフィルタカートリッジ。
【請求項１５７】
前記第１及び第２の連結部材の一方又は両方は、それぞれ弓形状側壁を含む、請求項１〜６７又は１５３〜１５６のいずれか一項に記載の側面搭載型エアフィルタカートリッジ。
【請求項１５８】
各弓形状側壁は、前記媒体パック及び長手方向軸から離れて直角に延在する、請求項１〜６７又は１５３〜１５７のいずれか一項に記載の側面搭載型エアフィルタカートリッジ。
【請求項１５９】
各弓形状側壁は、前記筐体に装着された係止機構上の対応する特徴を受けるための戻り止めを含む、請求項１〜６７又は１５３〜１５８のいずれか一項に記載の側面搭載型エアフィルタカートリッジ。
【請求項１６０】
前記第１及び第２の連結部材の一方又は両方は、前記筐体に関連した対応する係止機構と相互作用するためのタブ構造をそれぞれ含む、請求項１〜６７又は１５３〜１５９のいずれか一項に記載の側面搭載型エアフィルタカートリッジ。
【請求項１６１】
前記第１及び第２の連結部材の前記タブ構造の一方又は両方は、前記長手方向軸に平行な方向に延在する、請求項１〜６７又は１５３〜１６０のいずれか一項に記載の側面搭載型エアフィルタカートリッジ。
【請求項１６２】
前記第１及び第２の連結部材の一方又は両方の前記タブ構造は、第１のタブ構造が前記媒体パックの出口端部を超えて軸方向に延在し、及び第２のタブ構造が前記媒体パックの入口端部を超えて軸方向に延在するように互いから離れて延在する、請求項１〜６７又は１５３〜１６１のいずれか一項に記載の側面搭載型エアフィルタカートリッジ。
【請求項１６３】
前記第１及び第２の連結部材の一方又は両方の前記タブ構造は、軸方向に延在する平行なタブの対をそれぞれ含む、請求項１〜６７又は１５３〜１６２のいずれか一項に記載の側面搭載型エアフィルタカートリッジ。
【請求項１６４】
各弓形状側壁は、前記タブ構造の１つによって少なくとも部分的に支持される、請求項１〜６７又は１５３〜１６３のいずれか一項に記載の側面搭載型エアフィルタカートリッジ。
【請求項１６５】
前記本体は、一体形成されたハンドルを含む、請求項１〜６７又は１５３〜１６４のいずれか一項に記載の側面搭載型エアフィルタカートリッジ。
【請求項１６６】
前記ハンドルは、前記連結特徴の対間で軸方向に延在する、請求項１〜６７又は１５３〜１６５のいずれか一項に記載の側面搭載型エアフィルタカートリッジ。
【請求項１６７】
前記本体は、長手方向対称軸を有する、請求項１〜６７又は１５３〜１６６のいずれか一項に記載の側面搭載型エアフィルタカートリッジ。
【請求項１６８】
前記本体は、横方向対称軸を有する、請求項１〜６７又は１５３〜１６７のいずれか一項に記載の側面搭載型エアフィルタカートリッジ。
【請求項１６９】
エアフィルタカートリッジであって、
ａ）エアクリーナ筐体内に設置するように構成された媒体パックであって、入口面と出口面との間の長手方向軸に沿って延在する、媒体パックと、
ｂ）前記媒体パックに対して作動可能に位置決めされたシール配置であって、半径方向シール表面を画定する、シール配置と、
ｃ）前記媒体パックの入口面の近位の入口端部及び前記媒体パックの出口面の近位の出口端部を有する支持枠であって、
（ｉ）前記媒体パックに外接する周囲部、
（ｉｉ）前記入口端部に近位のハンドル部であって、操作者が前記エアフィルタカートリッジを前記エアクリーナ筐体内に設置し、且つそれから取り外すことを可能にするためのものである、ハンドル部、
（ｉｉｉ）前記出口端部に近位の位置決め配置の第１の部材であって、前記エアフィルタカートリッジの位置を前記エアクリーナ筐体に対して固定するために、前記エアクリーナ筐体上に置かれた前記位置決め配置の第２の部材と相互作用するためのものである、第１の部材
を画定する、支持枠と
を含むエアフィルタカートリッジ。
【請求項１７０】
前記ハンドル部は、前記周囲部から半径方向に離れて延在する、請求項１６９に記載のエアフィルタカートリッジ。
【請求項１７１】
前記位置決め配置の前記第１の部材は、前記周囲部内に画定されたスロットであり、前記スロットは、前記媒体パックの長手方向軸に平行な方向に延在する、請求項１６９又は１７０に記載のエアフィルタカートリッジ。
【請求項１７２】
前記支持枠の周囲部、前記ハンドル部及び前記第１の部材は、単一の構成要素として一体形成される、請求項１６９〜１７１のいずれか一項に記載のエアフィルタカートリッジ。
【請求項１７３】
前記シール配置は、前記支持枠に装着される、請求項１６９〜１７２のいずれか一項に記載のエアフィルタカートリッジ。
【請求項１７４】
前記シール配置は、非平面である、請求項１６９〜１７３のいずれか一項に記載のエアフィルタカートリッジ。
【請求項１７５】
前記シール配置の第１の部分は、前記媒体パックの入口端部の近位にあり、及び前記シール配置の第２の部分は、前記媒体パックの出口端部の近位にある、請求項１６９〜１７４のいずれか一項に記載のエアフィルタカートリッジ。
【請求項１７６】
前記シール配置の第１の部分は、前記支持枠上の前記ハンドル部から反対側に位置決めされ、及び前記シール配置の第２の部分は、前記支持枠上の前記位置決め配置の前記第１の部材から反対側に位置決めされる、請求項１６９〜１７５のいずれか一項に記載のエアフィルタカートリッジ。
【請求項１７７】
前記媒体パックは、襞付き媒体を含む、請求項１６９〜１７６のいずれか一項に記載のエアフィルタカートリッジ。
【請求項１７８】
前記シール配置は、リップシールの対を含む、請求項１６９〜１７７のいずれか一項に記載のエアフィルタカートリッジ。
【請求項１７９】
前記シール配置は、前記支持枠上に射出成形される、請求項１６９〜１７８のいずれか一項に記載のエアフィルタカートリッジ。
【請求項１８０】
エアクリーナを保守する方法であって、
ａ）前記エアクリーナの筐体に装着された１つ又は複数の係止機構を係止解除位置に位置決めするステップであって、前記１つ又は複数の係止機構は、フィルタカートリッジが前記筐体から取り外されるとき、前記係止解除位置から係止位置に動くことを防止される、ステップと、
ｂ）フィルタカートリッジを前記エアクリーナ筐体内に挿入するステップであって、前記１つ又は複数の係止機構が前記係止解除位置から前記係止位置に移動可能であることを可能にする、ステップと、
ｃ）前記１つ又は複数の係止機構を前記係止位置に動かすステップと
を含む方法。
【請求項１８１】
前記１つ又は複数の係止機構は、係止機構の対を含む、請求項１８０に記載の方法。
【請求項１８２】
前記１つ又は複数の係止機構は、係止バネであって、前記係止バネが第１の位置にあるとき、前記１つ又は複数の係止機構が前記係止解除位置から前記係止位置に動くことを防止する係止バネを含み、前記フィルタカートリッジは、前記係止バネを前記第１の位置から出して動かすための構成要素を含む、請求項１８０又は１８１に記載の方法。
【発明の詳細な説明】
【技術分野】
【０００１】
関連出願
本出願は、ＰＣＴ国際特許出願として２０１８年６月５日に出願され、２０１７年６月５日に出願された米国仮特許出願第６２／５１５，２８４号明細書及び２０１７年１１月１０日に出願された米国仮特許出願第６２／５８４／５５２号明細書に対する優先権の利益を主張し、それらの全体が参照により本明細書に組み込まれる。
【０００２】
技術分野
本発明は、概して、内燃機関のための吸気などの空気の濾過に使用するためのフィルタ配置に関し、より詳細には、所望の濾過性能を提供するために筐体内に配置された複数の構成要素を含むフィルタアセンブリに関する。
【背景技術】
【０００３】
空気又は他の気体の濾過は、多くのシステム内で望まれる。典型的な用途は、内燃機関への吸気の濾過におけるものである。別の用途は、クランクケースベンチレーションフィルタアセンブリの濾過におけるものである。典型的には、このようなシステムは、その中に保守可能なフィルタカートリッジを有するフィルタアセンブリを含む。一定期間使用した後、フィルタ筐体内のフィルタ媒体は、洗浄又は完全な交換のいずれかを通した保守が必要である。典型的には、例えば車両上の内燃機関と共に使用するエアクリーナ又はクランクケースベンチレーションフィルタアセンブリに対して、フィルタ媒体は、取り外し可能で交換可能である、すなわち保守可能である、典型的にはフィルタ要素又はカートリッジと呼ばれる構成要素内に含有される。フィルタカートリッジは、使用時にエアクリーナ内に取り外し可能に封止されるように構成される。組立、保守能力及び／又は使用に関するフィルタ配置の改良が望まれる。フィルタカートリッジは、第１の（例えば、一次）フィルタカートリッジ又は第２の（例えば、二次若しくは安全）フィルタカートリッジとして提供することができる。エアクリーナアセンブリは、第１のフィルタカートリッジのみ又は第１のフィルタカートリッジ及び第２のフィルタカートリッジの両方を含有することができる。
【発明の概要】
【課題を解決するための手段】
【０００４】
エアクリーナアセンブリが開示される。一態様では、エアクリーナアセンブリは、入口及び出口を画定し、且つ入口と出口との間にアクセス開口を含む筐体を含む。エアクリーナは、筐体内に受けられ、且つアクセス開口を覆うフィルタカートリッジも含む。エアクリーナは、係止機構も含む。係止機構は、フィルタカートリッジが筐体に設置され、且つそれから取り外され得る係止解除位置と、フィルタカートリッジが筐体内に固定される係止位置との間で移動可能である。フィルタカートリッジ及び係止機構は、フィルタカートリッジが筐体内に設置されるときのみ、係止機構が係止解除位置から係止位置に動かされることを可能にする相互作用特徴を含む。
【０００５】
本発明は、添付図面を参照して更に説明され、図面では、同じ構造は、いくつかの図を通して同じ番号によって示されている。
【図面の簡単な説明】
【０００６】
【図１】本発明の実施形態によるエアクリーナの第１の斜視図である。
【図１Ａ】一次フィルタカートリッジを筐体から取り外すように示された、図１に示されたエアクリーナの斜視図である。
【図１Ｂ】装着配置の装着構造を筐体から取り外すように示された、図１に示されたエアクリーナの斜視図である。
【図２】図１に示されたエアクリーナの第２の斜視図である。
【図３】図１に示されたエアクリーナの側面図である。
【図３Ａ】図３における３Ａ−３Ａ線に沿って切り取った、図１に示されたエアクリーナの断面図である。
【図３Ｂ】図３Ａに示されたエアクリーナの一部の拡大図である。
【図４】図１に示されたエアクリーナの入口端面図である。
【図５】図１に示されたエアクリーナの出口端面図である。
【図６】図１に示されたエアクリーナの平面図である。
【図６Ａ】図６における６Ａ−６Ａ線に沿って切り取った、図１に示されたエアクリーナの断面図である。
【図６Ｂ】フィルタカートリッジがエアクリーナから取り外された、図６Ａに示されたエアクリーナの断面図である。
【図６Ｃ】図６における６Ｃ−６Ｃ線に沿って切り取った、図１に示されたエアクリーナの断面図である。
【図６Ｄ】図６Ｃに示されたエアクリーナの一部の拡大図である。
【図６Ｅ】図６における６Ｅ−６Ｅ線に沿って切り取った、図１に示されたエアクリーナの断面図である。
【図７】図１に示されたエアクリーナの底面図である。
【図８】図１に示されたエアクリーナの分解斜視図である。
【図９】図１に示されたエアクリーナの筐体の第１の斜視図である。
【図１０】図１０に示された筐体の第２の斜視図である。
【図１１】図１０に示された筐体の平面図である。
【図１１Ａ】図１１における１１Ａ−１１Ａ線に沿って切り取った、図９に示された筐体の断面図である。
【図１２】図１０に示された筐体の第１の側面図である。
【図１３】図１２に示された筐体の第２の側面図である。
【図１４】図１に示されたエアクリーナの出口アセンブリの第１の斜視図である。
【図１５】図１４に示された出口アセンブリの第２の斜視図である。
【図１６】図１４に示された出口アセンブリの端面図である。
【図１７】図１４に示された出口アセンブリの側面図である。
【図１８】図１４に示された出口アセンブリの端面図である。
【図１８Ａ】図１８における１８Ａ−１８Ａ線に沿って切り取った、図１４に示された出口アセンブリの断面図である。
【図１９】図１に示されたエアクリーナの入口アセンブリの部分分解斜視図である。
【図２０】図１９に示された入口アセンブリの第１の斜視図である。
【図２１】図１９に示された入口アセンブリの端面図である。
【図２２】図１９に示された入口アセンブリの側面図である。
【図２３】図２１における２３−２３線に沿って切り取った、図１９に示された入口アセンブリの断側面図である。
【図２４】プレクリーナアセンブリが取り外された、図１９に示された入口アセンブリの斜視図である。
【図２５】ダスト排出アセンブリが取り外された、図２４に示された入口アセンブリの斜視図である。
【図２６】図１９に示された入口アセンブリのダスト排出ポートの斜視図である。
【図２７】図２６に示されたダスト排出ポートの側面図である。
【図２８】図１９に示された入口アセンブリのダスト排出ポートクリップの第１の斜視図である。
【図２９】図２８に示されたダスト排出ポートクリップの第２の斜視図である。
【図３０】図２８に示されたダスト排出ポートクリップの平面図である。
【図３１】図２８に示されたダスト排出ポートクリップの端面図である。
【図３２】図１に示されたエアクリーナの係止機構の１つの平面図である。
【図３２Ａ】図３２における３２Ａ−３２Ａ線に沿って切り取った、図３２に示された係止機構の断面図である。
【図３３】図３２に示された係止機構の底面図である。
【図３４】図３２に示された係止機構の第１の端面図である。
【図３５】図３２に示された係止機構の第２の端面図である。
【図３５Ａ】図３５に示された３５Ａ−３５Ａ線に沿って切り取った、図３２に示された係止機構の断面図である。
【図３５】図３２に示された３５−３５線に沿って切り取った、図３２に示された係止機構の断面図である。
【図３６】カバー部が取り外された、図３２に示された係止機構の平面斜視図である。
【図３７】図３２に示された係止機構の底面分解斜視図である。
【図３８】図３２に示された係止機構の平面分解斜視図である。
【図３９】図３２に示された係止機構の操作部の平面図である。
【図３９Ａ】図３９における３９Ａ−３９Ａ線に沿って切り取った、図３９に示された操作部の断面図である。
【図３９Ｂ】図３９における３９Ｂ−３９Ｂ線に沿って切り取った、図３９に示された操作部の断面図である。
【図４０】図３９に示された操作部の底面図である。
【図４１】図３９に示された操作部の第１の端面図である。
【図４２】図３９に示された操作部の第２の端面図である。
【図４３】図３９に示された操作部の側面図である。
【図４４】図３９に示された操作部の平面斜視図である。
【図４５】図３９に示された操作部の底面斜視図である。
【図４６】図３２に示された係止機構の基部の平面図である。
【図４６Ａ】図４６における４６Ａ−４６Ａ線に沿って切り取った、図４６に示された基部の断面図である。
【図４６Ｂ】図４６における４６Ｂ−４６Ｂ線に沿って切り取った、図４６に示された基部の断面図である。
【図４７】図４６に示された基部の底面図である。
【図４８】図４６に示された基部の第１の端面図である。
【図４９】図４６に示された基部の第２の端面図である。
【図５０】図４６に示された基部の側面図である。
【図５１】図４６に示された基部の平面斜視図である。
【図５２】図４６に示された基部の底面斜視図である。
【図５３】図３２に示された係止機構の係止バネの斜視図である。
【図５４】図５３に示された係止バネの平面図である。
【図５５】図５３に示された係止バネの側面図である。
【図５６】図３２に示された係止機構の止め輪の平面斜視図である。
【図５７】図５６に示された止め輪の底面斜視図である。
【図５８】図５６に示された止め輪の平面図である。
【図５９】図５６に示された止め輪の側面図である。
【図６０】図１に示されたエアクリーナの一次フィルタカートリッジの斜視図である。
【図６１】図６０に示されたフィルタカートリッジの側面図である。
【図６１Ａ】図６０に示されたフィルタカートリッジの代表的シール部材の斜視図である。
【図６１Ｂ】図６１Ａに示されたシール部材の第１の部分の断側面図である。
【図６１Ｃ】図６１Ａに示されたシール部材の第２の部分の拡大部である。
【図６２】図６０に示されたフィルタカートリッジの平面図である。
【図６３】図６０に示されたフィルタカートリッジの底面図である。
【図６４】図６０に示されたフィルタカートリッジの入口端面図である。
【図６５】図６０に示されたフィルタカートリッジの出口端面図である。
【図６６】図６０に示されたフィルタカートリッジの外殻の第１の斜視図である。
【図６７】図６６に示された外殻の第２の斜視図である。
【図６８】図６６に示された外殻の入口端面図である。
【図６９】図６６に示された外殻の出口端面図である。
【図７０】図６０に示されたフィルタカートリッジの媒体パックの斜視図である。
【図７１】図１に示されたエアクリーナの二次フィルタカートリッジの斜視図である。
【図７２】図７１に示されたフィルタカートリッジの入口端面図である。
【図７３】図７１に示されたフィルタカートリッジの出口端面図である。
【図７４】図７１に示されたフィルタカートリッジの側面図である。
【図７５】図６０に示されたフィルタカートリッジの第１のシール部材の斜視図である。
【図７６】図６０に示されたフィルタカートリッジの第２のシール部材の斜視図である。
【図７７】図７５及び７６に示された第１及び第２のシール部材の断面図である。
【図７８】図１に示されたエアクリーナの装着構造の斜視図である。
【図７９】図７８に示された装着構造の平面図である。
【図８０】図７８に示された装着構造の底面図である。
【図８１】図７８に示された装着構造の側面図である。
【図８２】図７８に示された装着構造の端面図である。
【図８３】図７８に示された装着構造の分解斜視図である。
【図８４】図７８に示された装着構造の第１の部分の斜視図である。
【図８５】図８４に示された装着構造の第１の部分の平面図である。
【図８６】図８４に示された装着構造の第１の部分の側面図である。
【図８７】図８４に示された装着構造の第１の部分の端面図である。
【図８８】図７８に示された装着構造の第２の部分の斜視図である。
【図８９】図８４に示された装着構造の第２の部分の平面図である。
【図９０】図８４に示された装着構造の第２の部分の側面図である。
【図９１】図８４に示された装着構造の第２の部分の端面図である。
【図９２】図１に示されたエアクリーナの装着構配置の装着クリップの第１の斜視図である。
【図９３】図９２に示された装着クリップの第２の斜視図である。
【図９４】図９２に示された装着クリップの第１の端面図である。
【図９５】図９２に示された装着クリップの第２の端面図である。
【図９６】図９２に示された装着クリップの平面図である。
【図９７】図９２に示された装着クリップの底面図である。
【図９８】図９２に示された装着クリップの側面図である。
【図９９】図１に示されたエアクリーナのスペーサモジュールの斜視図である。
【図１００】図９９に示されたスペーサモジュールの第２の斜視図である。
【図１０１】図９９に示されたスペーサモジュールの側面図である。
【図１０２】図９９に示されたスペーサモジュールの正面図である。
【図１０３】図９９に示されたスペーサモジュールの平面図である。
【図１０４】図９９に示されたスペーサモジュールの底面図である。
【図１０５】図９９に示されたスペーサモジュールの背面図である。
【図１０５Ａ】図１０５における１０５Ａ−１０５Ａ線に沿って切り取った、図９９に示されたスペーサモジュールの断面図である。
【図１０６】係止機構が係止位置にある、図１に示されたエアクリーナの斜視図である。
【図１０７】エアフィルタカートリッジが取り外され、係止機構が係止解除位置にある、図１に示されたエアクリーナの斜視図である。
【発明を実施するための形態】
【０００７】
本明細書では、従って、例示的フィルタアセンブリ、フィルタカートリッジ、特徴及び構成要素が説明され描かれている。種々の具体的な特徴及び構成要素が詳細に特徴付けられている。多くは、利点を提供するために適用することができる。しかし、様々な個々の特徴及び構成要素は、必ずしも本開示に一致した一部の利益を提供するために、記載された全ての特徴及び特性を備えたアセンブリ全体に適用される必要はない。
【０００８】
複数の実施形態が描かれ説明されていることに留意されたい。実施形態は、描かれた特徴に関して排他的であることを意味するのではない。すなわち、一実施形態の選択された特徴は、利益をもたらすために必要に応じて１つ又は複数の他の実施形態に適用することができる。多くの例において、描かれたフィルタアセンブリは、例えば、内燃機関のための吸気を濾過するために使用するエアクリーナである。追加の適用は、例えば、フィルタアセンブリがクランクケースベンチレーションフィルタアセンブリである適用が可能であり、そのアセンブリ内において、フィルタカートリッジは、その中に典型的には微粒子及び液体汚染物質の両方を含むクランクケースのブローバイガスを濾過するために使用される。濾過するキャリア段階は、気体（空気又はクランクケースベンチレーションガス）であるため、いずれの型のフィルタアセンブリも概して「気体フィルタアセンブリ」である。本明細書に説明された技法は、典型的には気体濾過に適用するために使用されるが、技法は、必要に応じて他の材料、例えば液体の濾過に使用することができる。
【０００９】
エアクリーナの一般構造
図１〜９を参照すると、本発明の実施形態によるエアクリーナ１０の態様が表されている。示されたように、エアクリーナ１０は、筐体本体２０を含む筐体アセンブリ１２を含み、筐体本体２０は、その中に配設されている取り外し可能なフィルタカートリッジ１００を画定する。エアクリーナ１０は、内部領域２０ａを画定する筐体本体２０を備えた筐体アセンブリ１２を含み、内部領域２０ａ内に取り外し可能な一次フィルタカートリッジ１００が配置されている。筐体アセンブリ１２は、濾過された空気を出すために位置決めされた出口アセンブリ４０を更に含む。表された実施形態では、空気出口アセンブリ４０は、内部領域４０ａを画定し、内部領域４０ａ内に取り外し可能な二次フィルタカートリッジ２００が配置されている。出口アセンブリ４０は、別個に筐体本体２０から作成し、それに取り付けることができるか、又は出口アセンブリ４０は、筐体本体２０の一部として一体的に構築することができる。筐体アセンブリ１２は、入口アセンブリ５０を更に含み、濾過される空気は、入口アセンブリ５０を通してアセンブリ１０に入る。入口アセンブリ５０は、別個に筐体本体２０から作成し、それに取り付けることができるか、又は入口アセンブリ５０は、筐体本体２０の一部として一体的に構築することができる。開示された実施形態では、本章で後に詳細に説明されるように、筐体アセンブリ１２は、モジュラーの構成でもあり、その中において、出口及び入口アセンブリ４０、５０は、筐体本体２０に固定される別個のアセンブリである。
【００１０】
エアクリーナ１０は、フィルタカートリッジ１００、２００の交換及び取り外しなどのために、筐体本体２０の内部領域２０ａに接近するためのアクセスカバー１２５を含むことができる。アクセスカバー１２５は、別個の構成要素であり得るか、又はエアフィルタカートリッジ１００の別の構成要素の一体型特徴、例えばフィルタカートリッジ１００の周囲殻と一体であり得る。本明細書に開示された実施形態では、アクセスカバー１２５は、エアフィルタカートリッジ１００に一体化されている。本開示の一態様では、アクセスカバー１２５、従ってフィルタカートリッジ１００は、連結部又は係止機構９０の対を介して筐体本体２０に固定される。
【００１１】
一態様では、エアフィルタカートリッジ１００は、エアフィルタカートリッジ１００がエアフィルタカートリッジ１００の長手方向軸を通過する平面を中心とする対称軸を有するように構成することができる。このような構成は、エアフィルタカートリッジ１００をいずれの方向にも設置することができる一方、依然として筐体本体２０及び係止機構９０の嵌合部品と満足な方法で相互作用する。
【００１２】
筐体本体２０
図１０〜１３を参照すると、筐体本体２０は、分離して示されている。表されたように、筐体本体２０は、ナイロン、ポリプロピレン又はＡＢＳプラスチックなどの高分子材料から単一の構成要素として一元的に形成される。一態様では、筐体本体２０は、第１の端部２０ａと第２の端部２０ｂとの間に延在し、内部領域２０ｉを画定する。筐体本体２０は、中央部２２、入口部２４及び出口部２６を有するように特徴付けることができる。用語「入口部」及び「出口部」が本明細書に使用されているが、筐体本体２０の構成のために、入口部２４は、筐体本体２０の出口端部としての役割を果たし得、出口部２６は、筐体本体２０の入口部としての役割を果たし得ることを理解されたい。概して、中央部２２は、フィルタカートリッジ１００を維持し、入口部２４は、空気入口アセンブリ５０を筐体本体２０に固定し、且つ係止機構９０の一方も支持し、出口部２６は、空気出口アセンブリ４０を筐体本体２０に固定し、且つ他方の係止機構９０も支持する。
【００１３】
一態様では、筐体本体２０の中央部２２は、入口部２４に近位の第１の端壁２２ｂと、出口部２６に近位の第２の端壁２２ｃとの間に延在する側壁２２ａによって画定される。第１及び第２の端壁２２ｂ、２２ｃのそれぞれは、開口２２ｄ、２２ｅのそれぞれを画定し、開口２２ｄ、２２ｅを通る空気が筐体本体２０を通して流れることを可能にする。中央部２２は、アクセス開口２２ｆを更に画定し、フィルタカートリッジ１００は、アクセス開口２２ｆを通して設置することができる。アクセス開口２２ｆは、筐体アセンブリ１２の組立中に出口アセンブリ４０及び入口アセンブリ５０がアクセス開口２２ｆを通して挿入できるような大きさでもある。一態様では、アクセス開口２２ｆは、アクセスカバー１２５が筐体本体２０に向かって十分に封止することができるように、Ｏリングなどのシール部材を受けるための開口チャネル２２ｇを画定する溝構造を備える。図１０６及び１０７を参照すると、代替エアクリーナの設計が示されており、アクセス開口２２ｆは、横方向又は半径方向の凹部２２ｆ１により異なる輪郭を有し、凹部２２ｆ１は、挿入中にフィルタカートリッジ１００の確実な位置付けを向上させるために使用することができる。
【００１４】
筐体本体２０の入口部２４は、丸みを帯びた端部又は角部を有する長方形形状（例えば、競技場形状）の周囲側壁２４ａを備えるように示されている。側壁２４ａ内において、複数の対向して配置され、離間した孔２４ｂが提供される。孔２４ｂは、筐体本体２０と空気入口アセンブリ５０との間のスナップ嵌合型連結を促進するために、空気入口アセンブリ５０の協働して形状されたラッチ部材を受けるためのものである。入口部２４は、アクセス開口２２ｆに近位の装着構造２４ｃも備える。装着構造２４ｃは、係止機構９０を装着できる構造を提供する。示されたように、装着構造２４ｃは、筐体本体２０の縦方向に延在する、離間した平行なＬ字形チャネル又はリブ部材２４ｄの対によって画定される。入口部２４は、本章で後に説明されるように、ダスト排出を所望の場所及び配向に装着することを促進するために、側壁２４ａ内に切欠き部２４ｅを更に備える。
【００１５】
筐体本体２０の出口部２６は、丸みを帯びた端部又は角部を有する長方形形状（例えば、競技場形状）の周囲側壁２６ａを備えるように示されている。側壁２６ａ内において、複数の対向して配置され、離間した孔２６ｂが提供される。孔２６ｂは、筐体本体２０と空気出口アセンブリ４０との間のスナップ嵌合型連結を促進するために、空気出口アセンブリ４０の協働して形状されたラッチ部材を受けるためのものである。出口部２６は、アクセス開口２２ｆに近位の装着構造２６ｃも備える。装着構造２６ｃは、係止機構９０を装着できる構造を提供する。示されたように、装着構造２６ｃは、筐体本体２０の縦方向に延在する、離間した平行なＬ字形チャネル又はリブ部材２６ｄの対によって画定される。示されていないが、ダスト排出を所望の場所及び配向に装着することを促進するために、側壁２６ａ内に２４ｅに類似した切欠き部を更に備えることができる。この場合、エアクリーナは、部分２６から部分２４に空気が流れるように構成される。
【００１６】
出口アセンブリ４０
図１４〜１８を参照すると、出口アセンブリ４０が更に詳細に示されている。わかりやすくするために、フィルタカートリッジ２００は、図１４〜１８では出口アセンブリ内に設置されているように示されていない。表されたように、出口アセンブリ４０は、出口本体４２及び流れ制限インジケータ４４を含む。流れ制限インジケータ４４は、出口アセンブリ４０にスナップ嵌合するダイヤル型ゲージである。示されたように、出口本体４２は、第１の端部４２ｂと第２の端部４２ｃとの間に延在する側壁４２ａによって画定される。一態様では、側壁４２ａは、二次フィルタカートリッジ２００と関連したシール部材２０４の一部を受け、シール部材２０４の一部で封止するための起伏部４２ｄを含む。側壁４２ａの内部は、二次フィルタカートリッジのシール部材２０４でシール接触の残余部を形成する。側壁４２ａは、ラッチ部４２ｅも備えるように示されており、ラッチ部４２ｅは、それぞれランプ状表面４２ｆ及び肩表面４２ｇを有する。ラッチ部４２ｅは、スナップ嵌合連結が筐体アセンブリ２０と出口アセンブリ４０との間に形成することができるように、筐体本体２０内の孔２６ｂと相互作用する。
【００１７】
出口アセンブリ４０は、出口本体側壁４２ａの第１の端部４２ｂに隣接するフランジ構造４６も備えるように示されている。一態様では、フランジ構造４６は、第１のフランジ部４６ａ及び第２のフランジ部４６ｃによって画定され、それぞれが側壁４２ａから半径方向外方に延在する。一態様では、フランジ部４６ａ、４６ｃは、フランジ構造４６の片側の上の装着表面４６ｂ及びフランジ構造４６の反対側の上のシール表面４６ｃを画定する。
【００１８】
示された実施形態では、第１のフランジ部４６ａのシール表面４６ｃは、エアクリーナ１０の長手方向軸Ｘと出口アセンブリ４０に角度ａ１で配設される。一態様では、角度ａ１は、斜角又は非直角である。示された例では、角度ａ１は、９５度である。しかし、９０〜１３５度の範囲の角度、例えば１００度などの他の角度が可能である。一部の例では、例えばフィルタカートリッジ１００が取り外されるとき、内部領域２０ｉ内に落ちるデブリを側壁４２ａの得られるレッジ領域上に収集する可能性が少ないように、フランジ部４６ａ及び４６ｃ間の側壁４２ａの表面積が同様に最小であるように、角度ａ１は、最小化される。一態様では、第１及び第２のフランジ部４６ａ、４６ｃは、互いに対して角度ａ２で配設される。示された例では、角度ａ２は、第１及び第２のフランジ部４６ａ、４６ｃが非平行の関係で配設されるように、ゼロ度より大きく且つ１８０未満である。示された例では、角度ａ２は、約１５２度である。媒体パック１１０の出口端部が長手方向軸Ｘに直角である場合、角度ａ１及びａ２も出口端部１１４に斜角であると言うことができる。シール部材１３２のシール表面１３２ｂ、１３２ｃがフランジ部４６ａ、４６ｃの角度ａ１、ａ２によって画定することができるように、シール表面１３２ｂ、１３２ｃも同様に上に特定された角度を有することができる。他の角度も可能である。
【００１９】
出口アセンブリ４０が筐体本体２０の内部領域２０ｉ内に残るように出口アセンブリ４０が筐体本体のアクセス開口２２ｆを通して挿入されるとき、出口アセンブリ４０は、装着表面４６ｂが筐体本体２０の端壁２２ｃに当接するまで、筐体本体の出口部２６（又は入口部２４）に向かって前方に押すことができる。この位置は、図６Ａ及び６Ｂの断面図で最も容易に見られる。端壁２２ｃは、第１のフランジ部４６ａの装着表面４６ｂに対して確実な停止を提供する。この動作中、各ラッチ部４２ｅのランプ状表面４２ｆは、出口本体４２が十分に挿入されてラッチ部４２ｅが孔２６ｂ内に完全に受けられるまで、側壁２６ａの内部表面に沿って上昇する。この時点において、ラッチ部４２ｅの肩表面４２ｇは、スナップ嵌合型連結で孔２６ｂの縁部に対して係止し、出口筐体４２は、ラッチ部４２ｅ及び端壁２２ｃにより更なる動きを係止される。
【００２０】
一態様では、第２のフランジ部４６ｃは、装着表面４６ｂの反対側にシール表面４６ｄを形成するために第１のフランジ部４６ａに隣接する。シール表面４６ｄは、表面であって、それに対して、フィルタカートリッジ１００の対応する形状のシール部材がシールを形成することができる表面を提供する。第１のフランジ部４６ａ及び第２のフランジ部４６ｃが非平行の関係に配置される際、第１のフランジ部４６ａによって画定されたシール表面４６ｄの部分４６ｅは、第２のフランジ部４６ｃによって画定されたシール表面４６ｄの部分４６ｆに角度ａ２で配設される。従って、シール表面４６ｄは、複合形状又は輪郭を有すると言うことができる。第１及び第２のシール部４６ｅ、４６ｆが隣接するシール表面４６ｄの場所４６ｇでは、シール表面４６ｄは、滑らかな移行が存在するように湾曲している。別の言い方をすれば、第１及び第２のシール部４６ｅ、４６ｆは、シール部４６ｅ、４６ｆを連結する湾曲部４６ｇと同一平面である。一部の例では、シール表面４６ｄの全て又は一部は、平面であるよりむしろ湾曲している。例えば、第１及び第２のシール部４６ｅ、４６ｆのいずれか又は両方は、平面であるよりむしろ湾曲することが可能である。示された例では、第１のシール部４６ｅは、全シール表面４６ｄの半分未満を表し、従って第２のシール部４６ｆの長さより短い長さを有する。
【００２１】
出口アセンブリ４０は、それにホース又は導管を連結することができる端壁４８ａ及び出口管４８ｂによって画定された出口端部４８も備える。出口端部４８は、フィルタカートリッジ２００と相互作用するための内部側壁又はリブ４８ｃを含むようにも示されている。出口端部４８は、制限インジケータ４４を受けるための側壁又はウェル４８ｄも含むようにも更に示されている。
【００２２】
表された構成の一利点は、開示されたモジュラー設計に起因して、異なる構成の出口アセンブリ４０があらゆる特定の適用に適するように筐体本体２０上に装着され得ることである。例えば、出口アセンブリは、異なる大きさ若しくは形状の出口管若しくは導管を備えることが可能であり、制限インジケータを備えないことが可能であるか、又は電子センサを設置するための追加ポートを備えることが可能である。従って、本開示は、他の又は異なる特徴が含まれ得るため、必ずしも本明細書に記載された特定の出口アセンブリ構成に限定されない。
【００２３】
入口アセンブリ５０
図１９〜３１を参照すると、入口アセンブリ５０の態様がより詳細に示されている。表されたように、入口アセンブリ５０は、入口本体５２、プレクリーナアセンブリ６０及びダスト排出アセンブリ６６を含む。一態様では、プレクリーナアセンブリ６０は、概して、空気がその中に位置決めされたフィルタカートリッジ１００に達する前に、気流によってエアクリーナアセンブリ１０内に運ばれた選択された材料又は汚染物質を清浄するために使用される。プレクリーナ６０は、概して、端壁６２ｂを囲む側壁６２ａを含み、端壁６２ｂを通して複数のサイクロン分離管６４が延在する。図面に示された実施形態では、４２個の分離管６４が提供されている。より多い又はより少ない分離管６４が提供されることも可能である。
【００２４】
入口本体５２も、端壁５２ｂを囲む側壁５２ａを含むように示されている。複数の受容体５４は、端壁５２ｂ上に提供され、端壁５２ｂを通して延在するように示されている。受容体５４は、プレクリーナアセンブリ６０が入口本体５２内に設置されるとき、分離管６４の出口内に受けられ、側壁６２ａは、側壁５２ａ内で摺動する。表された例では、プレクリーナアセンブリ６０は、入口本体５２の端壁５２ｂ内のネジ付き開口５２ｃ内に延在する締結具６２ｃ（例えば、ネジ付き釘又はボルト）を介して固定することができる。
【００２５】
作動中、汚染物質は、分離管６４の外側壁に分離され、端壁６２ｂ、５２ｂと側壁５２ａとの間に画定された内部空間内に収集され、次いでダスト排出ポートアセンブリ６６から排出される。分離管６４の中央部を通過する比較的自由な汚染空気は、受容体５４によって受けられ、受容体５４内で空気が端壁５２ｂを通過して内部領域２０ｉ内に入ることができ、内部領域２０ｉ内において、空気は、更に浄化するためにフィルタカートリッジ１００によって受けられ得る。
【００２６】
図１９及び２３〜２１に最も容易に見られるように、ダスト排出アセンブリは、入口本体の側壁５２ａ内の開口を通して装着されたダスト排出ポート６７及びダスト排出ポート６７を側壁５２ａに固定する保持クリップ６８を含む。ダスト排出ポートがプレクリーナアセンブリ又はエアクリーナ筐体の一部に成形される典型的な先行技術のアセンブリと反対に、本明細書に開示されたダスト排出アセンブリ６６は、取り外し可能であり、エアクリーナ１０が複数の開口５２ｄを備える複数の場所に装着することができる。入口アセンブリ５０は、入口アセンブリ４０についてすでに記載された手法と同様の手法で筐体本体２０のアクセス開口２２ｆを通して設置される。ダスト排出ポート６７が取り外し可能ではなく、アクセス開口２２ｆを通した組立を試みた場合に掃除が不十分になるはずであるため、ダスト排出アセンブリ６６が取り外し可能であることにより、この組立工程を促進する。入口アセンブリ５０が本体２０の上に設置されると、ダスト排出ポート６７は、入口本体５２内の開口５２ｄ内に挿入することができる。
【００２７】
図２６〜３１を参照すると、ダスト排出ポート６７は、フランジ６７ｂに延在する管状側壁６７ａによって画定される。ダスト排出ポート６７を側壁５２ａの外側から側壁５２ａによって画定された内部に向かった方向に入口本体の開口５２ｄ内に挿入中、フランジ６７ｂは、内部に更に挿入することを防止するための停止部として作用する。一態様では、フランジ６７ｂは、フランジ６７ｂと側壁５２ａとの間に概ね面一の嵌合配置が存在するように、側壁５２ａの輪郭に補完的形状を備える。示された例では、開口５２ｄのある場所における側壁５２ａ及びフランジ６７ｂの両方が湾曲している。しかし、ダスト排出アセンブリ６６の装着場所が入口本体の側壁５２ａの平坦側面に沿っている場合、フランジ６７ｂは、平面又は平坦であることが可能である。
【００２８】
ダスト排出ポート６７は、フランジ６７ｂが側壁５２ａと当接するとき、入口本体の開口５２ｄを通過する保持フランジ又は耳６７ｃの対を更に備える。保持フランジ６７ｂは、保持クリップ６８によって受けられ、保持クリップ６８は、ダスト排出ポート６７のフランジ６７ｂ及び６７ｃ間の管状側壁６７ａの狭まった首領域を受けるための狭まった開口領域６８ｃを備えた開口６８ｂを画定する側壁６８ａを含む。狭まった開口領域６８ｃは、ダスト排出ポート６７と保持クリップ６８との間のスナップ嵌合型取付を可能にする。ダスト排出ポートの側壁６７ａが開口５２ｄを通して挿入されると、保持クリップ６８は、フランジ６７ｂの反対側の入口本体の側壁５２ａの側面上（すなわち側壁５２ａの内側上）の排出ポートの側壁６７ａの上に挿入される。挿入されると、保持クリップ６８は、ダスト排出ポート６７が入口本体５２から取り外されないように保持フランジ６７ｂに反して作動する。図２８に示されたように、クリップ６８は、クリップの遠位端部に幅ｗ１を有し、これは、ランプ状構造を形成するためにクリップ６８の反対側の端部に向かって幅Ｗ２に増加する。従って、保持クリップ６８が挿入されると、クリップ６８の厚さが増加することにより、排出ポート６７が側壁５２ａに対して適所に軸方向に固定されるように、排出ポート６７を適所で結合する作用をする。ハンドル又はリップ部材６８ｄは、挿入及び取り外し中に保持クリップの操作を促進するために保持クリップ６８上に提供される。
【００２９】
ランプ状の側壁部材又はリブ６８ｅも、排出ポート６７が側壁５２ａに対して回転しないように、保持フランジ６７ｃの端部と相互作用するように提供することができる。保持クリップ６８と排出ポート６７との間の連結を弛緩することにより、このような回転が起きる可能性があるため、回転を防止することは、好都合である。
【００３０】
一態様では、保持クリップの側壁６８ａは、側壁６８ａと側壁５２ａとの間に概ね面一の嵌合配置が存在するように、側壁５２ａの輪郭に補完的形状を備える。示された例では、開口５２ｄのある場所における側壁５２ａ及び側壁６８ａの両方が湾曲している。しかし、ダスト排出アセンブリ６６の装着場所が入口本体の側壁５２ａの平坦側面に沿っている場合、側壁６８ａは、平面又は平坦であることが可能である。
【００３１】
入口本体５２の側壁５２ａは、ラッチ部５２ｅも備えるように示されており、各ラッチ部５２ｅは、ランプ状表面５２ｆ及び肩表面５２ｇを有する。ラッチ部５２ｅは、スナップ嵌合連結を筐体アセンブリ２０と入口アセンブリ５０との間に形成することができるように、筐体本体２０内の孔２４ｂと相互作用する。
【００３２】
入口アセンブリ５０は、出口本体の側壁４２ａの第２の端部４２ｃに隣接するフランジ構造５６も備えるように示されている。一態様では、フランジ構造５６は、側壁５２ａから半径方向外方に延在する第１のフランジ部５６ａ及び第２のフランジ部５６ｃによって画定される。一態様では、フランジ部５６ａ、５６ｃは、フランジ構造５６の片側の上の装着表面５６ｂ及びフランジ構造５６の反対側の上のシール表面５６ｃを画定する。
【００３３】
示された実施形態では、第１のフランジ部５６ａは、エアクリーナ１０の長手方向軸Ｘと入口アセンブリ５０に角度ａ３で配設されている。一態様では、角度ａ３は、斜角又は非直角である。示された例では、角度ａ１は、５度である。しかし、０度〜４５度の範囲の角度、例えば１０度などの他の角度が可能である。一態様では、第１及び第２のフランジ部５６ａ、５６ｃは、互いに対して角度ａ４で配設される。示された例では、角度ａ４は、第１及び第２のフランジ部５６ａ、５６ｃが非平行の関係で配設されるように、ゼロ度より大きく且つ１８０未満である。示された例では、角度ａ４は、約１５２度である。他の角度も可能である。
【００３４】
入口アセンブリ５０が筐体本体２０の内部領域２０ｉ内に残るように出口アセンブリ４０が筐体本体のアクセス開口２２ｆを通して挿入されるとき、入口アセンブリ５０は、装着表面５６ｂが筐体本体２０の端壁２２ｂに当接するまで、筐体本体の入口部２４（又は入口部）に向かって前方に押すことができる。この位置は、図８及び８Ａの断面図で最も容易に見られる。端壁２２ｂは、第１のフランジ部５６ａの装着表面５６ｂに対して確実な停止を提供する。この動作中、各ラッチ部５２ｅのランプ状表面５２ｆは、入口本体５２が十分に挿入されてラッチ部５２ｅが孔２４ｂ内に完全に受けられるまで、側壁２４ａの内部表面に沿って上昇する。この時点において、ラッチ部５２ｅの肩表面５２ｇは、スナップ嵌合型連結で孔２４ｂの縁部に対して係止し、入口筐体５２は、ラッチ部５２ｅ及び端壁２２ｂにより更なる動きを係止される。
【００３５】
一態様では、フランジ構造５６は、装着表面５６ｂの反対側にシール表面５６ｄを形成するために第１のフランジ部５６ａに隣接する。シール表面５６ｄは、軸表面であって、それに対して、フィルタカートリッジ１００の対応する形状のシール部材がシールを形成することができる軸表面を提供する。従って、シール部材のシール表面は、本明細書のシール表面に対して以下に説明するものと同じ形状又は輪郭を有することができる。第１のフランジ部５６ａ及び第２のフランジ部５６ｃが非平行の関係に配置される際、第１のフランジ部５６ａによって画定されたシール表面４６ｄの部分５６ｅは、第２のフランジ部５６ｃによって画定されたシール表面５６ｄの部分５６ｆに角度ａ４で配設される。従って、シール表面５６ｄは、複合形状又は輪郭を有すると言うことができる。第１及び第２のシール部５６ｅ、５６ｆが隣接するシール表面５６ｄの場所５６ｇにおいて、シール表面５６ｄは、滑らかな移行が存在するように湾曲している。別の言い方をすれば、第１及び第２のシール部５６ｅ、５６ｆは、シール部５６ｅ、５６ｆを連結する湾曲部５６ｇと同一平面である。一部の例では、シール表面５６ｄの全て又は一部は、平面であるよりむしろ湾曲している。例えば、第１及び第２のシール部５６ｅ、５６ｆのいずれか又は両方は、平面よりむしろ湾曲する可能性がある。示された例では、第１のシール部５６ｅは、全シール表面５６ｄの半分未満を表し、従って第２のシール部５６ｆの長さより短い長さを有する。
【００３６】
表された構成の一利点は、開示されたモジュラー設計に起因して、異なる構成の入口アセンブリ５０があらゆる特定の適用に適するように筐体本体２０上に装着され得ることである。例えば、プレクリーナがない入口アセンブリ５０、入口導管、異なるプレクリーナの設計及び／又はダスト排出アセンブリを提供することができる。従って、本開示は、他の又は異なる特徴が含まれ得るため、必ずしも本明細書に記載された特定の入口アセンブリ構成に限定されない。
【００３７】
フィルタカートリッジ１００
次に、図６０〜６９を参照すると、エアクリーナアセンブリ１０のフィルタカートリッジ１００の例示的実施形態が例示されている。フィルタカートリッジ１００は、第１の端部１０２と第２の端部１０４との間に延在する。一態様では、第１の端部１０２は、フィルタカートリッジ１００の上流端部として特徴付けることができる一方、第２の端部１０４は、フィルタカートリッジ１００の下流端部として特徴付けることができる。フィルタカートリッジ１００は、主要又は一次フィルタカートリッジであると考えることができ、所望の量の微粒子又は汚染物質を選択的に分離するために使用される。
【００３８】
フィルタカートリッジ１００は、フィルタカートリッジ１００がエアクリーナ１０の耐用期間中に所望又は必要に応じて定期的に取り外し可能で交換可能であるように、概ね保守部品又は取り外し可能な構成要素である。具体的には、カートリッジ１００が塞がるか、又は別法により交換する必要があるとき、アクセスカバー１２５は、筐体２０から係止解除され、塞がったフィルタ１００は、アクセスカバー１２５と関連したハンドル１２７を介してアクセスカバーを筐体２０から離れるＲ１方向に引くことによって取り外される。このように取り外した後、別のフィルタ１００は、フィルタカートリッジ１００を挿入方向Ｉ１に挿入することにより筐体２０内に置くことができる。一態様では、方向Ｉ１及びＲ１は、フィルタカートリッジ１００及び筐体２０の長手方向軸Ｘ、Ｘ１に直角である。示された例では、アクセスカバー１２５は、フィルタカートリッジ１００と一体であり、従って先に記載したアクセスカバー１２５としての役割を果たす。同様に、ハンドル１２７は、アクセスカバー１２５と一体形成される。一態様では、ハンドル１２７は、媒体パック１１０の長さの大部分である長さを有する。先に述べたように、図１０６及び１０７は、アクセス開口２２ｆが凹部２２ｆ１により異なる輪郭を有することができるフィルタカートリッジ１００を示す。このような実施形態では、アクセスカバー１２５は、アクセスカバー１２５が凹部２２ｆ１と噛合するか又は当接する突起部１２５ａを備えた起伏形状を有するように、アクセス開口２２ｆに補完的形状を備えて形成することができる。
【００３９】
フィルタカートリッジ１００は、概して、媒体パック１１０、アクセスカバー１２５及びハンドル１２７を一体的に含む殻１２０、媒体パック１１０の入口端部における第１のシール部材１３０並びに媒体パック１１０の出口端部における第２のシール部材１３２を含む。シール部材１３０、１３２は、概して、比較的可撓性の材料から作成され、本明細書では「可撓性シール部材」と呼ぶことがあり、軸方向又は半径方向のシール部材を含むことができる。一例では、シール部材１３０、１３２は、射出成形ガスケットとして提供される。示された実施形態では、シール部材１３０、１３２は、本章で後に記載されるように平行なリップシール１３４及び開口面のポケット構造１３６の交互の区分を有するガスケットとして提供される。シール部材１３０、１３２は、図７５〜７７では分離して示されている。
【００４０】
示された例では、媒体パック１１０は、（提供されている場合には）プレクリーナから濾過していない空気又は予め浄化された空気を受けるための入口流面１１２及び濾過した空気を送達するための出口流面１１４を有する。媒体パック１１０は、図７０では分離して示されている。示された例では、媒体パック１１０は、長円の断面形状を有する。しかし、円形、楕円形及び長方形の断面形状などの他の形状が可能である。一態様では、媒体パック１１０は、入口流面１１２と出口流面１１４との間に延在する外周１１６を画定する。示された例では、媒体パック１１０は、渦巻状媒体構造、例えば溝付き又はｚフィルタ媒体構造を形成するために平行な溝を一緒に画定する、溝付き（典型的には波形）媒体シート及び対面媒体シートを有する媒体構造から形成される。媒体パック１１０のための適切な媒体構造は、媒体の型及び構成の章でより詳細に論じられる。
【００４１】
一態様では、フィルタカートリッジ１００の殻１２０は、ナイロン、ポリプロピレン又はＡＢＳプラスチックなどの高分子材料から形成される。殻１２０は、図６６〜６９では分離して示されている。一態様では、殻１２０は、媒体パック１１０の外周１１６を包囲する周壁１２２を画定する。格子構造１２３は、媒体パック１１０の出口流面１１４を支持するための殻１２０を備えるようにも示されている。殻１２０は、接着剤により媒体パック１１０に固定され得る。周壁１２２は、示されたように媒体パックの外周１１６の全体を包囲し得るか、又は媒体パックの外周１１６の一部を包囲し得る。先に述べたように、アクセスカバー１２５及びハンドル１２７は、殻と一体的に形成される。示されたように、アクセスカバー１２５は、筐体本体２０のアクセス開口２２ｆに噛合し、覆う大きさ及び形状である本体１２５ａを含む。本体１２５ａは、シール表面１２５ｂであって、それに対して、筐体本体２０に関連したシールがシールを形成することができるシール表面１２５ｂを画定する。示された例では、ハンドル１２７は、操作者がハンドル１２７を把持できるように解放空間１２７ａがハンドル１２７とカバー１２５との間に存在するように、アクセスカバー１２５を備えて形成される。解放空間１２７ａは、ハンドル１２７の片側若しくは両側の下の凹部として画定することができるか、又は図面に示されたように完全な解放空間であることが可能である。示された例では、アクセスカバー１２５は、操作者にフィルタカートリッジ１００の適切な設置配向として指標を提供するために、テキスト及び配向矢印などの印１２５ｃを備えることができる。
【００４２】
一態様では、第１及び第２のシール支持フランジ１２４、１２６は、周壁１２２から直角に延在する。シール支持フランジ１２４、１２６は、それぞれシール部材１３０、１３２に対して支持表面を提供する。シール支持フランジ１２４、１２６、従って支持されたシール部材１３０、１３２は、それぞれ封止出口アセンブリのシール表面４６ｄ及び入口アセンブリのシール表面５６ｄに補完する輪郭を備える。従って、シール支持フランジ１２４は、角度ａ４で配設された第１の部分１２４ｂ及び隣接する第２の部分１２４ｃを有する支持表面１２４ａを画定し、第１及び第２の部分１２４ｂ、１２４ｃは、１２４ｂと１２４ｃとの間に角度ａ４を形成する。支持フランジ１２４の形状は、シール部材１３０のシール表面１３０ａが角度ａ３における第１の部分１３０ｂ及び第１の部分１３０ｂに対して角度ａ４において隣接する第２の部分１３０ｃを有するように、シール部材１３０上に類似の特徴を付与する。示された例では、媒体パックの入口流面１１２は、フィルタカートリッジ１００の長手方向軸Ｘ１に直角であるように示されている。従って、支持フランジの第１の部分１２４ａ及びシールの第１の部分１３０ｂは、入口流面を画定する平面Ｐ１と、角度ａ３引く９０度に等しい角度ａ５を形成すると言うことができる。結果として、示された例の角度ａ５は、１０度である。
【００４３】
シール支持フランジ１２６は、角度ａ１に配設された第１の部分１２６ｂ及び第１の部分１２６ｂに対して角度ａ２で配設された隣接する第２の部分１２４ｃを有する支持表面１２６ａを画定する。支持フランジ１２６の形状は、シール部材１３２のシール表面１３２ａが角度ａ１で第１の部分１３２ｂ及び第１の部分１３２ｂに対して角度ａ２で隣接する第２の部分１３２ｃを有するように、シール部材１３２上に類似の特徴を付与する。示された例では、媒体パックの出口流面１１４は、フィルタカートリッジ１００の長手方向軸Ｘ１に直角であるように示されている。従って、支持フランジの第１の部分１２６ａ及びシールの第１の部分１３２ｂは、入口流面を画定する平面Ｐ２と、角度ａ１引く９０度に等しい角度ａ６を形成すると言うことができる。結果として、示された例の角度ａ６は、１０度である。一態様では、シール表面１３０ａ、１３２ａは、シール表面の面として画定する軸方向シール表面又は軸方向に面するシール表面が、フィルタカートリッジ１００の長手方向軸Ｘ１より直角である（すなわち媒体パック１１０の端面より平行若しくは媒体パック端部と同じ一般的方向に面する）と特徴付けることができる。
【００４４】
シール部材１３０、１３２は、封止を向上するために様々な特徴を備えることができる。シール部材１３０、１３２は、図６１Ａ〜６１Ｃのそれぞれでは分離して示されている。図６１Ｂを参照すると、シール部材１３０、１３２の断面図が表されている。一態様では、シール部材１３０、１３２は、射出成形型シールである。表されたように、シール部材１３０、１３２は、基部部材１３３ａ及びｃチャネル型形状を一緒に形成するシールリップ又は延長部１３３ｂ、１３３ｃの対を含む。基部部材１３３ａ及びリップ延長部１３３ｂの側部１３３ｄは、シール支持フランジ１２４、１２６と相互作用し、接着剤を介してフランジ１２４、１２６に固定することができる。シール部材１３０、１３２は、上部区分も含むことができ、ｃ形状チャネルは、シール部材１３０、１３２の残余部に９０度で配向される。上部区分１３３ｅでは、チャネルの解放側面は、シール部材１３０、１３２の残余区分のリップ延長部１３３ｃと同じ方向に面する。この構成により、シール部材１３０、１３２を入口及び出口筐体アセンブリ４０、５０の上により容易に成形することができる。上部区分１３３ｅの場所において、各リップ延長部１３３ｂ、１３３ｃの遠位端部は、シール部材１３０、１３２に対する軸方向シール表面を形成する。
【００４５】
一態様では、シール表面の第１の部分１３０ｂ、１３２ｂは、角度ａ１及びａ３によって画定されたようにそれぞれ角度を形成する。示されたように、この角度は、約２０度である。一態様では、シール表面の第２の部分１３０ｃ、１３２ｃは、角度ａ１、ａ２、ａ３及びａ４によって画定されたように互いに角度を形成する。示されたように、この角度は、約６５度である。他の角度も可能である。一部の例では、第１の部分１３０ｂ、１３２ｂは、平面である一方、他の例では、第１の部分１３０ｂ、１３２ｂは、湾曲している。一部の例では、第２の部分１３０ｃ、１３２ｃは、平面である一方、他の例では、第２の部分１３０ｃ、１３２ｃは、湾曲している。一部の例では、第１の部分１３０ｂ、１３２ｂ及び第２の部分１３０ｃ、１３２ｃは、それぞれ第１及び第２の部分を一緒に繋げる湾曲又は半径状部と同一平面である。一部の例では、第１の部分１３０ｂ、１３２ｂは、平面であり、第２の部分１３０ｃ、１３２ｃは、湾曲している。一部の例では、第１の部分１３０ｂ、１３２ｂは、シール表面の長さの大部分を画定し、第２の部分１３０ｃ、１３２ｃは、シール表面の長さのわずかな部分を画定する。
【００４６】
シール部材１３０、１３２が角度ａ５、ａ６で配設される結果、シール部材１３０、１３２は、挿入方向Ｉ１及びシール部材１３０、１３２がカバー１２５に近位の場所に比べてカバー１２５から遠い場所で互いに近づく（すなわちシール部材１３０及び１３２間の距離がカバーに向かう方向に増加する）ように、カバー１２５から離れる方向に互いに向かって先細である。この先細の構成は、シール部材１３０、１３２が互いに対して完全に平行に配向された構成及びいかなる先細もない平面Ｐに比べて、シール部材１３０、１３２からの圧縮抵抗が少ない状態で、フィルタカートリッジ１００を筐体本体２０の内部領域２０ｉ内により容易に設置することができる。この利点は、第１の部分１３０ｂ、１３２ｂによって画定された平面の外側に外れる第２の部分１３０ｃ、１３２ｃによって表された追加の増加した先細角によって更に一層達成される（すなわち、第２の部分におけるシール１３０ｃ及び１３２ｃ間の距離は、第１の部分におけるシール１３０ｂ及び１３２ｂ間の距離よりカバーに向かう方向により大きい割合で増加する）。これらの特徴により、フィルタカートリッジ１００が横方向又は挿入方向Ｉ１に側面に搭載される間に軸方向シールを同時に有することができ、シール１３０、１３２は、筐体２０とシールを形成するために軸Ｘ１に沿って筐体本体２０内でフィルタカートリッジ１００のいかなる動きも更に必要とすることなく、筐体２０とシールを形成する。
【００４７】
開示された構成の別の利点は、フィルタカートリッジが筐体本体２０よりむしろ入口及び出口筐体アセンブリ４０、５０に対して封止することである。シール部材１３０は、入口筐体アセンブリ５０のシール表面５６ｄに対してシールを形成し、シール部材１３２は、出口筐体アセンブリ４０のシール表面４６ｄに対してシールを形成するため、カバー１２５が筐体本体２０と防漏シールを形成するか、又はフィルタカートリッジ１００が筐体本体２０と防漏シールを形成する必要はない。
【００４８】
一態様では、フィルタカートリッジ１００は、各端部で係止接触特徴１５０を備えるようにも示されている。係止接触特徴１５０は、フィルタカートリッジ１００を筐体２０に対して適所で係止することができるように、係止機構９０と相互作用する。示されたように、係止接触特徴１５０は、弓状リブ構造１５２及びタブ構造１５４の対を含み、各構造は、アクセスカバー１２５上に一体形成される。これらの特徴の構造及び機能は、係止機構の章で更に記載される。
【００４９】
フィルタカートリッジ２００
図１Ａを参照すると、例示的エアクリーナアセンブリ１０は、任意の二次又は安全フィルタカートリッジ２００を含む。安全フィルタカートリッジ２００は、図７１〜７４では分離して示されている。安全フィルタ２００は、概して、主要フィルタカートリッジ１００と筐体２０の出口４８ｂとの間に位置決めすることができる。典型的な配置では、安全フィルタ２００は、エアクリーナアセンブリ１０内に取り外し可能に位置決めされ、典型的には所望通りに及び／又は必要に応じて取り外し可能で交換可能である保守構成要素であるともみなされるはずである。
【００５０】
安全フィルタ２００の例示的実施形態は、外枠２０２を含み、外枠２０２は、平行なリップシールの対を有するシール部材２０４を担持し、概して筐体出口本体４２（例えば、側壁４２ａの内部表面の直線側部と一緒に直線にセグメント化された部分４２ｄ）の内部領域の大きさ及び形状に一致し、好ましくは隙間なしに出口本体４２に封止することができる。このようにして、安全フィルタ２００は、先に安全フィルタを通ることなく出口に到着できる空気がないように、筐体の壁に対して摩擦嵌合して筐体内に圧入することができる。安全フィルタ２００は、襞付き媒体などの濾過媒体２２０も含むことができる。ハンドル２０６も、アクセス開口２２ｆを介してフィルタカートリッジ２００を筐体２０に設置し、筐体２０から取り外すことを支援するために提供され得る。
【００５１】
媒体の型及び構成
あらゆる型のフィルタ媒体が、本発明の実施形態によるフィルタカートリッジ１００、２００のための媒体パックとして使用することができる。例えば、天然及び／又は合成繊維を使用する織布及び不織布材料は、溝付きフィルタ媒体、襞付き媒体及び深層媒体を形成するために使用することができる。例示的構成は、ｚフィルタ構成などの溝付きフィルタ媒体を含む。本明細書で使用する場合、用語「ｚフィルタ構造」は、個々の波形、折り畳まれた又は別法により形成されたフィルタ溝が長手方向の組、典型的には媒体を通して流れる流体のための平行な入口及び出口フィルタの溝を画定するために使用されるフィルタ構造の型を指すことを意味し、流体は、媒体の対向する入口流端と出口流端（又は流面）との間の溝の長さに沿って流れる。フィルタ媒体の一部の例は、米国特許第５，８２０，６４６号明細書、同第５，７７２，８８３号明細書、同第５，９０２，３６４号明細書、同第５，７９２，２４７号明細書、同第５，８９５，５７４号明細書、同第６，２１０，４６９号明細書、同第６，１９０，４３２号明細書、同第６，３５０，２９６号明細書、同第６，１７９，８９０号明細書、同第６，２３５，１９５号明細書、同第Ｄ３９９，９４４号明細書、同第Ｄ４２８，１２８号明細書、同第Ｄ３９６，０９８号明細書、同第Ｄ３９８，０４６号明細書及び同第Ｄ４３７，４０１号明細書に提供されており、これらのそれぞれが参照により本明細書に組み込まれる。
【００５２】
ｚフィルタ媒体の１つの型は、媒体構造を形成するために一緒に接合された２つの特定の媒体構成要素を利用する。２つの構成要素は、溝付き（具体的には波形）媒体シート及び対面媒体シートを含む。対面媒体シートは、典型的には非波形であるが、２００４年２月１１日に出願され、２００５年８月２５日にＰＣＴ国際公開第０５／０７７４８７号パンフレットとして公開され、参照により本明細書に組み込まれる米国仮特許出願第６０／５４３，８０４号明細書に記載されているように、波形（例えば、溝方向に垂直）であることも可能である。
【００５３】
溝付き媒体シート及び対面媒体シートは、平行な入口及び出口溝を有する媒体を画定するために一緒に使用される。場合により、溝付きシート及び対面シートは、一緒に固定され、次いでｚフィルタ媒体構造を形成するために媒体ストリップとして渦巻状に巻かれる。このような配置は、例えば、米国特許第６，２３５，１９５号明細書及び同第６，１７９，８９０号明細書に記載されており、これらのそれぞれが参照により本明細書に組み込まれる。
【００５４】
特定の他の配置では、対面媒体に固定された溝付き（典型的には波形）媒体の一部の非渦巻状区分又はストリップは、フィルタ構造を生成するために互いに積層される。
【００５５】
波形媒体は、溝付き媒体の特定の形態であり、溝付き媒体は、それを横切って延在する個別の溝又はリッジ（例えば、波形成若しくは折り畳みによって形成される）を有する。用語「波形」は、本明細書では２つの波形ローラ間の媒体（例えば、得られる媒体内に波形をもたらすために適切な表面特徴をそれぞれ有する２つのローラ間のニップ又は嵌合部内）を通過することに由来する溝構造を有する媒体など、媒体内の構造を指すために使用される。
【００５６】
ｚフィルタ媒体を利用する保守可能なフィルタ要素又はフィルタカートリッジ構造は、場合により、「直線状の流れ構造」又はその変形で呼ばれる。概して、保守可能なフィルタ要素又はカートリッジは、入口流端（又は面）及び反対側の出口流端（又は面）を有し、流れは、概ね同じ直線状方向にフィルタカートリッジを入出する。これに関連して、用語「保守可能」は、対応する流体（例えば、空気）クリーナから定期的に取り外して交換されるフィルタカートリッジを含有する媒体を指すことを意味する。
【００５７】
係止機構９０
図１〜３を参照すると、連結部９０（以下では係止機構９０と呼ぶ）は、フィルタカートリッジ１００の各端部に提供されることが見てわかる。先に記載されたように、フィルタカートリッジ１００は、殻１２０のアクセスカバー１２５と一体形成される弓状リブ１５２及びタブ構造１５４を含む特徴１５０を含む。各タブ１５４は、係止機構９０の操作部９２の対応する凹部９２ａ内に受けられる。フィルタカートリッジ１００は、凹部９２ａがタブ１５４と位置合わせするように係止機構９０が完全に係止解除位置に回転するまで、筐体２０内に完全に挿入することができない。
【００５８】
図３９〜４５を参照すると、操作部９２が更に詳細に示されている。示されたように、操作部９２は、前述の凹部９２ａ、使用者が操作部９２を把持して回転させることを可能にするためのハンドル部９２ｂの対、カバー部９２ｃ、カバー部９２ｃから延在するステム部９２ｄ、ステム部９２ｄ内に画定された保持溝９２ｅ、リブ部９２ｆとカバー部９２ｃの側壁部９２ｈとの間の溝又はチャネル９２ｇを画定する弓形状リブ部９２ｆ、リブ部９２ｆが側壁部９２ｈに接触する場所における凹領域９２ｉの対及びリブ部９２ｆと側壁部９２ｈとの間に延在する中央インデックス部材９２ｊを含む。側壁部９２ｈは、カバー部９２ｃがフィルタカートリッジのアクセスカバー１２５の上で回転することがより良好にできるように、側壁部９２ｈの端部における引込又はランプ状部９２ｈを含むようにも示されている。
【００５９】
図４６〜５２を参照すると、係止機構９０の基部９４が更に詳細に示されている。示されたように、基部９４は、その中に中央孔９４ｂが画定される本体９４ａ、孔９４ｆの対、孔９４ｇの対及び中央タブ９４ｈを含む係止バネの保持特徴９４ｃ、弓形状リブ部９４ｄの対並びに係止機構９０を筐体２０に固定するための取付特徴９４ｅの対を含む。一態様では、取付特徴９４ｅは、筐体２０上で対応する形状のＬ字形リブ部材２４ｄ、２６ｄを受けるＬ字形チャネル９４ｅの対を含む。
【００６０】
図５３〜５５を参照すると、係止機構９０の係止バネ９６が更に詳細に示されている。示されたように、係止バネ９６は、基部９６ａからランプ状部９６ｂに延在し、次いで、ランプ状部９６は、タブ部９６ｃに延在する。係止バネ９６は、タブ部９６ｃから突起するラッチ部９６ｄを更に含む。ラッチ部９６ｄは、カバー部９２の縁部９２ｍに対して係合するためのラッチ面９６ｅを含む。係止バネ９６は、係止バネ９６を基部９４の係止バネの保持特徴９４ｃに固定するためのタブ９６ｅ及び９６ｆを備えて形成されるようにも示されている。示された例では、係止バネ９６は、鋼シート（例えば、バネ鋼）から切断され、形状するために屈曲される。
【００６１】
図５６〜５９を参照すると、係止機構９０の止め輪９８が更に詳細に示されている。止め輪９８は、その中に中央孔９８ｂが画定される本体９８ａを含む。示された例では、止め輪９２は、バネ鋼などの金属材料から形成される。
【００６２】
一態様では、係止バネの基部９４ａは、タブ９６ｅが開口９４ｆ及び９４ｇを通して延在し、タブ９６ｆが基部９４の中央タブ９４ｈによって保持されるように、またランプ状部９６ｂが基部本体９４ａから離れて延在するように係止バネの保持特徴９４ｃ内に受けられる。図３６は、基部９４に取り付けられた係止バネ９６を示し、カバー９２は、係止バネ９６と基部９４との間の連結をよりよく示すために取り外されている。この構成により、係止バネのタブ部９６ｃが図６Ｅ及び３２〜３６における位置Ｐ１に示されたように弛緩した位置又は着座位置（すなわち図面では上部位置）から、図７８における位置Ｐ２に示されたように本体９４ａに向かって偏向位置（すなわち図面では下部位置）に偏向することができる。操作部９２は、操作部のカバー部９２ｃが基部の本体９４ａを覆うように操作部９２のステム部９２ｄが基部９４の中央孔９４ｂを通過することにより基部９４に装着される。この位置では、基部９４のリブ部９４ｄは、リブが付いた操作部と外壁９２ｈとの間に形成された溝内に着座する。２つの部分は、止め輪９８を保持溝９２ｅの上に設置することにより一緒に固定される。
【００６３】
操作部及び基部９２、９４が一緒に固定されると、操作部９２は、基部９４に対して係止解除位置から係止位置に回転することができる。係止解除位置では、操作部９２は、タブ部９６ｃが操作部９２のカバー部９２ｃ内の凹部９２ａ内に延在するように、また係止バネ９６のラッチ面９６ｆが操作部９２の側縁部９２ｍに対して着座するように位置合わせされる。ラッチ面９６ｆと操作部の側縁部９２ｍとの間の相互作用に起因して、操作部９２は、着座位置に係止バネ９６がある状態で係止解除位置から外れて回転することができない。操作部９２がフィルタカートリッジ１００を設置することなくこの位置を通過して回転した場合、操作部９２は、ランプ状面９６ｅが係止バネのラッチ部９６ｄを容易に偏向させ、操作部９２上で側縁部９２ｆを摺動して通過することができるため、係止解除位置に容易に回転して戻ることができる。
【００６４】
フィルタカートリッジ１００が筐体２０内に設置されるとき、アクセスカバー１２５上のタブ１５４は、各係止機構９０の係止バネ９６に接触して基部９４に向かう方向に偏向させる。この相互作用は、位置Ｐ２として図６Ｅに概略的に表して示されている。フィルタカートリッジ１００が完全に設置されると、各ラッチ部９６ｄは、側縁部９２ｆを超えてずれ、それによって操作部９２を係止位置に向かって時計回り又は反時計回りのいずれかに回転させることができる。操作部９２が係止位置に向かって回転する際、操作部９２上のリブ部９２ｆは、フィルタカートリッジ１００のリブ構造１５２に沿って摺動する。従って、連結部材として特徴付けることができるリブ構造１５２は、媒体パックをエアクリーナ筐体内に固定するために操作部９２と連動して機能する。フィルタカートリッジ１００は、封止を果たすために筐体２０内に挿入後に軸方向に移す必要がない真の側面搭載型フィルタカートリッジであるため、フィルタカートリッジ１００は、リブ構造１５２の少なくとも一部が媒体パック１１０の入口／出口流端部を超えて軸方向に延在するように構成される。示された具体的な例では、リブ構造１５２全体が媒体パック１１０の入口／出口流端部を軸方向に超えている。
【００６５】
示された例では、係止機構９０は、シール部材１３０、１３２で長手方向軸Ｘの方向に封止を直接実施しない。代わりに、封止は、個々のシール部材１３０、１３２と個々のシール表面４６ｄ、５６ｄとの間の締り嵌めによって形成される。係止機構９０は、フィルタカートリッジ１００の上に、従ってシール部材１３０、１３２の上に挿入方向に圧縮力を掛けるように構成することができる。係止機構９０は、フィルタカートリッジ１００を自己センタリング様式で適所に係止するように作動し、応力は、係止機構９０とカバー１２５との間で伝達されるが、シール部材１３０、１３２の上に力を付与しない。従って、シール部材１３０、１３２の一方のみが提供される構成でも、係止機構９０は、封止を実施するためにカートリッジ又は筐体上に第２のシール又はあらゆる他の構成要素が存在する必要なしに単一の封止を実施するために、依然としてフィルタカートリッジ１００を軸方向に位置合わせして固定する機能を果たす。
【００６６】
加えて、止め輪９２は、操作部９２の上にバネ力を掛けるように構成される。操作部９２は、操作部９２を係止位置に保持することを支援し、設置者に係止位置の触覚フィードバックを提供するために、操作部のリブ９２ｊがフィルタカートリッジ１００上の弓形状リブ構造１５２上の停止部材又は戻り止め１５２ｉと係合するまで係止位置に回転される。操作部９２の最初の回転中、リブ９２ｊは、フィルタカートリッジ１００上のリブ構造１５２の上又はリブ構造１５２に対して上昇し、これは、回転にわずかな抵抗を提供する。リブ９２ｉが停止部材１５２ｉに達すると、リブ９２ｉは、停止部材１５２ｉによって画定された凹部内にスナップ嵌合し、従って同時に操作部９２を係止位置にインデックスを付け、触覚フィードバックを提供する。フィルタカートリッジ１００を筐体から取り外すために、操作者は、凹部９２ａがタブ１５４と位置が合うまで各操作部９２を回転させるのみである。
【００６７】
上の記載によって理解できるように、係止機構９０及びフィルタカートリッジのタブ１５４の補完的な構成は、適正なフィルタカートリッジが実際にフィルタカートリッジを受けるように設計された筐体内に設置されることを確実にする。タブ１５４を含まないフィルタカートリッジを設置する試みがなされる場合、フィルタカートリッジ１００は、係止機構を係止位置に動かすことができず、従って設置者に不適正なフィルタカートリッジが設置されていることを警告する。タブ及び凹部は、特定の形状を有するように示されているが、他の形状が可能である。異なる形状が異なるエアクリーナの大きさ又は設計に使用され得、従って適正なフィルタカートリッジが生産ライン全体を通して適切な筐体に設置されることを確保する。
【００６８】
装着配置３０
図７８〜９３を参照すると、装着配置３０の詳細がより詳しく示されている。装着配置３０は、図１及び３〜８では筐体本体２０上に設置されるように示されている。示されたように、装着配置３０は、筐体本体２０に離間して平行な配置で装着された装着構造３２の対を含むように示されている。装着配置３０は、４つの装着クリップ３４も含むように示されている。装着クリップ３４又は装着構造３２のいずれかが独立してエアクリーナ１０を支持構造に装着するために使用することができ、装着クリップ３４は、一定距離の装着配置を提供し、装着構造は、調節可能な装着システムを提供する。装着構造３２及び装着クリップ３４の両方が提供される場合、設置者又は設計者は、特定の用途に最良に相応しい装着手段をいずれも利用することができる。装着構造３２及び装着クリップ３４がエアクリーナ１０を支持構造に装着するために独立して使用することができるため、エアクリーナ１０は、装着構造３２のみ又は装着クリップ３４のみを備えることができる。
【００６９】
図９及び１２を見てわかるように、筐体本体２０は、装着構造３２を受ける側壁２５ａによって画定されたチャネル２５の対を画定する。筐体本体２０は、各端部で側壁２５ａを横切って延在する端壁２５ｂも備える。端壁２５ｂは、端壁が装着クリップ３４を受けることができるように、孔２５ｃを含むように示されている。装着クリップ３４は、装着配置の一部を形成する。筐体本体２０は、装着構造３２が筐体本体２０に固定できるように、装着構造３２の一部を受けるための孔２５ｄも含むように示されている。
【００７０】
図７８〜９１を参照すると、装着構造３２の特徴がより詳細に示されている。一態様では、各装着構造３２は、第２のチャネル部３２ｂを受ける第１のチャネル部３２ａを含む。図８２を見て最もよくわかるように、第２のチャネル部３２ｂは、ボルト３２ｃの頭部３２ｄに一致する幅又は寸法を有し、これによりボルトが第２のチャネル部３２ｂの長さに沿って摺動できるが、ボルトが回転することを防止する。第１のチャネル部３２ａは、中央開口３２ｅを有し、頭部３２ｄは、頭部を第２のチャネル部３２ｂが受けることができるように中央開口３２ｅを通過できる。第１のチャネル部３２ａは、追加としてボルト頭部３２ｄの対向する側部を固定するために互いに向かって延在する横壁３２ｆを有する。従って、ボルト３２ｃは、第１のチャネル部３２ａ内に、次いでボルト３２ｃが第２のチャネル部３２ｂと壁３２ｆとの間に摺動可能に固定されるように第２のチャネル部３２ｂ内に受けることができる。このような構成において、ボルト３２ｃの位置は、所与の装着構造と位置合わせするために容易に調節することができる。ボルト３２ｃは、筐体本体２０上の端壁２５ｂによってチャネル部３２ａ、３２ｂのいずれかの端部から摺動して外れることを防止する。
【００７１】
第２のチャネル部３２ｂは、筐体本体のスロット２５ｄが受ける延長部３２ｇを一端に且つ装着クリップ３４と係合又は相互作用することができる延長部３２ｈを他端に含むように示されている。装着構造３２は、固定位置にボルト３２ｃを保持することを支援し、振動の可能性を抑えることができる第１及び第２のチャネル部３２ａ、３２ｂによって受けられ得る、スペーサ、充填又は接触部材３２ｋ（例えば、潰れた高分子管若しくは月形状の高分子管）も備えることができる。一態様では、第１のチャネル部３２ａは、第１及び第２のチャネル部３２ａ、３２ｂを一緒に固定することを支援するために、第２のチャネル部３２ｂのタブ３２ｇを受ける孔３２ｆを備えることができる。
【００７２】
図９２〜９８を参照すると、保持クリップ３４がより詳細に示されている。一態様では、保持クリップ３４は、基部３４ａ、基部３４ａから延在する頭部３４ｂ及び基部３４ａから延在するクリップ部３４ｃを含む。頭部３４ｂは、孔３４ｄを含み、孔３４ｄは、装着ボルトを受けるためのネジ付き開口であることが可能である。装着クリップ３４は、頭部３４ｂが孔２５ｃを通して延在するように、また端壁２５ｂが基部３４ａとクリップ部３４ｃとの間にクリップで留められるように端壁２５ｂの上に設置される。保持クリップ３４は、クリップ３４がスナップ嵌合型連結を介して端壁２５ｂの上に保持されるように、クリップ３４が設置されたとき、凹部２５ｃ内にスナップ嵌合するスナップ部材３４ｅを更に備える。クリップ部材３４は、クリップ部材３４を更に固定するために筐体本体２０内に形成された凹部内にスナップ嵌合することができる突出３４ｆも備えることができる。
【００７３】
位置決め配置７０
図３Ａ、３Ｂ、６Ｂ、６Ｃ及び６Ｄを参照すると、エアクリーナ１０は、筐体本体２０のウェル領域２７内に配設された位置決め配置７０を備えることが見てわかる。一態様では、ウェル領域２７は、側壁部２７ａ及び側壁部２７ｂの対によって画定される。部分２７ａ、２７ｂは、筐体本体の側壁２２ａの一部である。位置決め配置７０は、適切なフィルタカートリッジ１００が確実にエアクリーナ１０内に設置されるように設計される。一態様では、位置決め配置は、筐体本体２０内に内部輪郭を生成し、筐体本体２０は、フィルタカートリッジ１００が筐体本体２０内に完全に受けられるために、一致して補完的な形状の輪郭を有する必要がある。示された実施形態では、位置決め配置７０は、アレイの対によって形成され、離間したリブ２９ｂは、筐体本体の側壁２２ａからピン延長部２９ａまで延在する。示された例では、５つのピン２９ａ及びリブ２９ｂは、筐体本体の内部領域２０ｉの各側面上に示されている。ピン２９ａ及びリブ２９ｂは、それぞれ挿入モジュール７２を受けて保持するように構成される。示された実施形態では、３つの挿入モジュール７２が筐体本体２０の各側面上のピン２９ａ及びリブ２９ｂの上に装着されている。認識されるはずであるように、位置決め配置７０は、本質的にモジュラーであり、従って特定の用途に適合するために多数の異なる内部輪郭を達成するようにカスタマイズすることができる。例えば、１つ、２つ、４つ又は５つ全ての挿入モジュール７２を各側面上に設置することができる。４つ以下の挿入モジュール７２が利用される場合、挿入モジュール７２間の間隔も同様にカスタマイズすることができる（例えば、１つおきにピン２９ａの間を空けるなど）。挿入モジュール７２の数及び配置も、筐体本体２０の片側を他方と変えることができる。所望の数及び配置の挿入モジュール７２が選択されると、フィルタカートリッジ１００は、次いで、挿入モジュール７２と接するフィルタカートリッジの部分がないように設計することができる。非対称の配置（左右又は前後）は、フィルタカートリッジ１００を不注意で反対方向に挿入することができないように選択することができ、従って適切に選択したフィルタも適切に設置されることが確保される。
【００７４】
図６Ｂを参照すると、例示的フィルタカートリッジ１００の輪郭部又は延長部１００ａは、フィルタカートリッジの輪郭部１００ａが挿入モジュール７２間に画定された解放空間の間に延在し、挿入モジュール７２によって占有された空間内に延在するフィルタカートリッジの輪郭部１００ａがないように示されている。従って、フィルタカートリッジ１００は、筐体本体２０の内部領域２０ｉ内に適切な配向で完全に受けられるために、輪郭１００ａに概ね対応する輪郭を有さなければならない。示された実施形態では、輪郭延長部１００ａは、フィルタカートリッジの殻１２０と一体形成された突起である。
【００７５】
図９９〜１０５ａは、本体７２ａ、ピン２９ａを受けるための凹部７２ｂ及びリブ２９ｂを受けるための凹部７２ｃを含む例示的挿入モジュール７２を示す。挿入モジュール７２ｂは、不適切に選択及び／又は設置されたフィルタカートリッジ１００のための干渉面として作用することができる輪郭頭部７２ｄも含むように示されている。挿入モジュール７２は、ピン２９ｂ内の対応する開口２７ｃが受けることができる、凹部７２ｂ内に配設されたピン構造７２ｅも備えることができる。
【００７６】
本開示の態様
本開示の様々な態様が以下の段落に更に記載される。
【００７７】
側面搭載型エアフィルタカートリッジであって、エアクリーナ筐体の側開口内に設置するように構成された媒体パックであって、入口端部と出口端部との間の長手方向軸に沿って延在し、外周を画定する、媒体パックと、媒体パックに対して作動可能に位置決めされたシール配置であって、出口流端部に向かって面する軸方向シール表面を画定し、軸方向シール表面の一部は、長手方向軸に斜角で配置される、シール配置と、媒体パックをエアクリーナ筐体内に固定するためにエアクリーナの係止機構と係合するように構成された第１の連結部材であって、媒体パックに作動可能に連結され、第１の連結部材の一部は、媒体パックの出口流端部を超えて軸方向に延在する、第１の連結部材とを含む側面搭載型エアフィルタカートリッジ。一例では、連結部材は、軸方向シール表面の全て又は一部を超えて軸方向に延在する。
【００７８】
第１の連結部材の反対側に且つ第１又は第２の軸方向端部の近位に置かれた第２の連結部材を更に含む、本明細書に記載されたいずれかの側面搭載型フィルタカートリッジ。
【００７９】
第１及び第２の連結部材の一方又は両方は、第１の平面に位置合わせされ、第１の平面は、媒体パックの長手方向軸を通して延在し、且つ媒体パックの対称軸を画定する、本明細書に記載されたいずれかの側面搭載型フィルタカートリッジ。
【００８０】
第１の連結部材は、媒体パックの対称軸と位置合わせされた対称軸を有する、本明細書に記載されたいずれかの側面搭載型フィルタカートリッジ。
【００８１】
第１及び第２の連結部材の一方又は両方は、それぞれ弓形状側壁を含む、本明細書に記載されたいずれかの側面搭載型エアフィルタカートリッジ。
【００８２】
各弓形状側壁は、媒体パック及び長手方向軸から離れて垂直に延在する、本明細書に記載されたいずれかの側面搭載型エアフィルタカートリッジ。
【００８３】
各弓形状側壁は、筐体に装着された係止機構上の対応する特徴を受けるための戻り止めを含む、本明細書に記載されたいずれかの側面搭載型エアフィルタカートリッジ。
【００８４】
筐体に関連した対応する係止機構と相互作用するための少なくとも１つのタブ構造を更に含む、本明細書に記載されたいずれかの側面搭載型エアフィルタカートリッジ。
【００８５】
少なくとも１つのタブ構造は、長手方向軸に平行な方向に延在する、本明細書に記載されたいずれかの側面搭載型エアフィルタカートリッジ。
【００８６】
少なくとも１つのタブ構造は、第１のタブ構造が媒体パックの出口端部を超えて軸方向に延在し、及び第２のタブ構造が媒体パックの入口端部を超えて軸方向に延在するように互いから離れて延在する少なくとも２つのタブ構造を含む、本明細書に記載されたいずれかの側面搭載型エアフィルタカートリッジ。
【００８７】
媒体パックの外周を包囲する周囲殻を更に含む、本明細書に記載されたいずれかの側面搭載型エアフィルタカートリッジ。
【００８８】
カバー部を更に含む、本明細書に記載されたいずれかの側面搭載型エアフィルタカートリッジ。
【００８９】
カバー部は、周囲殻と一体形成される、本明細書に記載されたいずれかの側面搭載型エアフィルタカートリッジ。
【００９０】
第１及び第２の連結部材の一方又は両方は、カバー部上に提供される、本明細書に記載されたいずれかの側面搭載型エアフィルタカートリッジ。
【００９１】
タブ構造は、カバー部上に提供される、本明細書に記載されたいずれかの側面搭載型エアフィルタカートリッジ。
【００９２】
カバー部は、媒体パックをエアクリーナ筐体に設置し、且つそれから取り外すためのハンドルを含み、ハンドルは、媒体パックの外周の外側にある、本明細書に記載されたいずれかの側面搭載型エアフィルタカートリッジ。
【００９３】
ハンドルは、媒体パックの長手方向軸に平行な方向に延在する、本明細書に記載されたいずれかの側面搭載型エアフィルタカートリッジ。
【００９４】
ハンドルは、カバー部と一体形成される、本明細書に記載されたいずれかの側面搭載型エアフィルタカートリッジ。
【００９５】
媒体パックは、第１の長さを有し、及びハンドルは、第１の長さの大部分である第２の長さを有する、本明細書に記載されたいずれかの側面搭載型エアフィルタカートリッジ。
【００９６】
側面搭載型エアフィルタカートリッジであって、エアクリーナ筐体の側開口内に設置するように構成された媒体パックであって、長手方向軸に沿って延在し、且つ外周を画定する、媒体パックと、媒体パックに対して作動可能に位置決めされたシール配置であって、概して入口流端部又は出口流端部に向かって面する軸方向シール表面を画定し、軸方向シール表面の一部は、長手方向軸に斜角で配置される、シール配置とを含み、軸方向シール表面の第２の区分は、軸方向シール表面の第１の区分から、軸方向シール表面の第２の区分が、軸方向シール表面の第１の区分によって画定された平面又は湾曲表面の外側に落ちるように軸方向に外れる、側面搭載型エアフィルタカートリッジ。
【００９７】
斜角は、９１〜１３５度である、本明細書に記載されたいずれかの側面搭載型エアフィルタカートリッジ。
【００９８】
斜角は、１００度である、本明細書に記載されたいずれかの側面搭載型エアフィルタカートリッジ。
【００９９】
軸方向シール表面の第１の区分は、第１の斜角で配設され、及び軸方向シール表面の第２の区分は、第２の斜角で配設され、第２の斜角は、第１の斜角より小さい、本明細書に記載されたいずれかの側面搭載型フィルタカートリッジ。
【０１００】
第１の斜角は、９１〜１３５度であり、及び第２の斜角は、６０〜７０度である、本明細書に記載されたいずれかの側面搭載型フィルタカートリッジ。
【０１０１】
第１の斜角は、１００度であり、及び第２の斜角は、１５２度である、本明細書に記載されたいずれかの側面搭載型フィルタカートリッジ。
【０１０２】
シール配置の第１及び第２の区分の両方は、媒体パックの出口端部に斜角で配設される、本明細書に記載されたいずれかの側面搭載型エアフィルタカートリッジ。
【０１０３】
軸方向シール表面の第２の区分は、第１の平面に斜角で配設される第２の平面に沿って位置合わせされる、本明細書に記載されたいずれかの側面搭載型エアフィルタカートリッジ。
【０１０４】
シール配置の第１の区分は、媒体パックの出口端部によって画定された平面を横切る、本明細書に記載されたいずれかの側面搭載型エアフィルタカートリッジ。
【０１０５】
軸方向シール表面の第１及び第２の区分の一方又は両方は、湾曲輪郭形状を有する、本明細書に記載されたいずれかの側面搭載型エアフィルタカートリッジ。
【０１０６】
軸方向シール表面の第１及び第２の区分の一方又は両方は、直線輪郭を有する、本明細書に記載されたいずれかの側面搭載型エアフィルタカートリッジ。
【０１０７】
軸方向シール表面の第１及び第２の区分は、平面であり、且つ半径方向中間部によって接合される、本明細書に記載されたいずれかの側面搭載型エアフィルタカートリッジ。
【０１０８】
軸方向シール表面の第１の区分は、軸方向シール表面の全長の大部分を画定する、本明細書に記載されたいずれかの側面搭載型エアフィルタカートリッジ。
【０１０９】
シール配置は、射出成形される、本明細書に記載されたいずれかの側面搭載型エアフィルタカートリッジ。
【０１１０】
媒体パックの外周の少なくとも一部を包囲する周囲殻を更に含み、シール配置の少なくとも一部は、周囲殻を中心に配設される、本明細書に記載されたいずれかの側面搭載型フィルタカートリッジ。
【０１１１】
周囲殻の少なくとも一部に外接するシール支持フランジを更に含み、シール配置は、シール支持フランジによって支持される、本明細書に記載されたいずれかの側面搭載型フィルタカートリッジ。
【０１１２】
シール配置は、シール支持フランジ上に射出成形される、本明細書に記載されたいずれかの側面搭載型フィルタカートリッジ。
【０１１３】
媒体パックは、溝付き媒体である、本明細書に記載されたいずれかの側面搭載型フィルタカートリッジ。
【０１１４】
第１のシール配置は、媒体パックの外周の少なくとも一部に外接する、本明細書に記載されたいずれかの側面搭載型フィルタカートリッジ。
【０１１５】
媒体パックをエアクリーナ筐体に設置し、且つそれから取り外すためのハンドルを更に含み、ハンドルは、媒体パックの外周の外側にある、本明細書に記載されたいずれかの側面搭載型エアフィルタカートリッジ。
【０１１６】
ハンドルは、媒体パックの長手方向軸に平行な方向に延在する、本明細書に記載されたいずれかの側面搭載型エアフィルタカートリッジ。
【０１１７】
ハンドルは、カバー部と一体形成される、本明細書に記載されたいずれかの側面搭載型エアフィルタカートリッジ。
【０１１８】
媒体パックは、第１の長さを有し、及びハンドルは、第１の長さの大部分である第２の長さを有する、本明細書に記載されたいずれかの側面搭載型エアフィルタカートリッジ。
【０１１９】
側面搭載型エアフィルタカートリッジであって、エアクリーナ筐体の側開口内に設置するように構成された媒体パックであって、長手方向軸に沿って延在し、且つ外周を画定する、媒体パックと、媒体パックに対して作動可能に位置決めされ、且つ第１の軸方向シール表面を画定する第１のシール配置と、媒体パックに対して作動可能に位置決めされ、且つ第２の軸方向シール表面を画定する第２のシール配置であって、第２の軸方向シール表面は、概して第１の軸方向シール表面から離れる方に面する、第２のシール配置とを含み、第１及び第２の軸方向シール表面の対応する軸方向に対向する第１の区分の間の距離は、第１の区分の長さに沿って第１の割合で増加し、第１及び第２の軸方向シール表面の対応する軸方向に対向する第２の区分の間の距離は、第２の区分の長さに沿って第２の割合で増加し、第２の割合は、第１の割合と異なる、側面搭載型エアフィルタカートリッジ。
【０１２０】
側面搭載型エアフィルタカートリッジであって、エアクリーナ筐体の側開口内に設置するように構成された媒体パックであって、長手方向軸に沿って延在し、且つ外周を画定する、媒体パックと、第１のシール配置であって、媒体パックに対して作動可能に位置決めされ、且つ第１のシール配置を支持する第１のシール支持フランジと反対側の第１の軸方向シール表面を画定する第１のシール配置と、第２のシール配置であって、媒体パックに対して作動可能に位置決めされ、且つ第２のシール配置を支持する第２のシール支持フランジと反対側の第２の軸方向シール表面を画定し、第２の軸方向シール表面は、概して第１の軸方向シール表面から離れる方に面する、第２のシール配置とを含み、媒体パックは、第１及び第２の軸方向シール表面の一方又は両方の少なくとも一部を超えて軸方向に延在する、側面搭載型エアフィルタカートリッジ。
【０１２１】
側面搭載型エアフィルタカートリッジであって、エアクリーナ筐体の側開口内に設置するように構成された媒体パックであって、長手方向軸に沿って延在し、且つ外周を画定する、媒体パックと、媒体パックに対して作動可能に位置決めされ、且つ第１の軸方向シール表面を画定する第１のシール配置と、媒体パックに対して作動可能に位置決めされ、且つ第２の軸方向シール表面を画定する第２のシール配置であって、第２の軸方向シール表面は、概して第１の軸方向シール表面から離れる方に面する、第２のシール配置とを含み、媒体パックは、第１及び第２の軸方向シール表面の一方又は両方の少なくとも一部を超えて軸方向に延在する、側面搭載型エアフィルタカートリッジ。
【０１２２】
第１のシール配置の第１の区分は、第２のシール配置の第１の区分に第１の斜角で配設される、本明細書に記載されたいずれかの側面搭載型エアフィルタカートリッジ。
【０１２３】
第１の斜角は、５〜２０度である、本明細書に記載されたいずれかの側面搭載型エアフィルタカートリッジ。
【０１２４】
第１の軸方向シール表面の第１の区分は、第１の軸方向シールの第２の区分と非平行の関係で配設される、本明細書に記載されたいずれかの側面搭載型エアフィルタカートリッジ。
【０１２５】
第２の軸方向シール表面の第１の区分は、第２の軸方向シールの第２の区分と非平行の関係で配設される、本明細書に記載されたいずれかの側面搭載型エアフィルタカートリッジ。
【０１２６】
第１及び第２の軸方向シール表面の第１のｄ区分は、媒体パックの出口端部に斜角で配設される、本明細書に記載されたいずれかの側面搭載型エアフィルタカートリッジ。
【０１２７】
第１の斜角は、１０〜２０度である、本明細書に記載されたいずれかの側面搭載型エアフィルタカートリッジ。
【０１２８】
第１の斜角は、１０度である、本明細書に記載されたいずれかの側面搭載型エアフィルタカートリッジ。
【０１２９】
第１及び第２のシール配置の一方又は両方の第１の区分は、媒体パックの入口又は出口端部によって画定された平面を横切る、本明細書に記載されたいずれかの側面搭載型エアフィルタカートリッジ。
【０１３０】
第１及び第２のシール配置の一方又は両方の軸方向シール表面の第１及び第２の区分の一方又は両方は、湾曲表面を画定する、本明細書に記載されたいずれかの側面搭載型エアフィルタカートリッジ。
【０１３１】
第１及び第２のシール配置の一方又は両方の軸方向シール表面の第１及び第２の区分の一方又は両方は、平面表面を画定する、本明細書に記載されたいずれかの側面搭載型エアフィルタカートリッジ。
【０１３２】
第１及び第２のシール配置の一方又は両方の軸方向シール表面の第１及び第２の区分は、半径方向中間部によって接合される、本明細書に記載されたいずれかの側面搭載型エアフィルタカートリッジ。
【０１３３】
第１及び第２のシール配置の一方又は両方の軸方向シール表面の第１の区分は、第１の平面に沿って位置合わせされ、及び第１及び第２のシール配置の一方又は両方の軸方向シール表面の第２の区分は、第１の部分と非平行の関係に配設される、本明細書に記載されたいずれかの側面搭載型エアフィルタカートリッジ。
【０１３４】
第１及び第２のシール配置の一方又は両方の軸方向シール表面の第２の区分は、湾曲表面を画定する、本明細書に記載されたいずれかの側面搭載型エアフィルタカートリッジ。
【０１３５】
周囲殻の少なくとも一部に外接する第１のシール支持フランジを更に含み、第１のシール配置は、第１のシール支持フランジによって支持される、本明細書に記載されたいずれかの側面搭載型フィルタカートリッジ。
【０１３６】
第１のシール配置は、シール支持フランジ上に射出成形される、本明細書に記載されたいずれかの側面搭載型フィルタカートリッジ。
【０１３７】
周囲殻の少なくとも一部に外接する第１のシール支持フランジと、周囲殻の少なくとも一部に外接する第２のシール支持フランジとを更に含み、第１のシール配置は、第１のシール支持フランジによって支持され、及び第２のシール配置は、第２のシール支持フランジによって支持される、本明細書に記載されたいずれかの側面搭載型フィルタカートリッジ。
【０１３８】
第１及び第２のシール配置は、第１及び第２の支持フランジ上にそれぞれ射出成形される、本明細書に記載されたいずれかの側面搭載型フィルタカートリッジ。
【０１３９】
媒体パックは、溝付き媒体である、本明細書に記載されたいずれかの側面搭載型フィルタカートリッジ。
【０１４０】
第１及び第２のシール配置の一方又は両方は、媒体パックの外周の少なくとも一部に外接する、本明細書に記載されたいずれかの側面搭載型フィルタカートリッジ。
【０１４１】
媒体パックをエアクリーナ筐体に設置し、且つそれから取り外すためのハンドルを更に含み、ハンドルは、媒体パックの外周の外側にある、本明細書に記載されたいずれかの側面搭載型エアフィルタカートリッジ。
【０１４２】
ハンドルは、媒体パックの長手方向軸に平行な方向に延在する、本明細書に記載されたいずれかの側面搭載型エアフィルタカートリッジ。
【０１４３】
ハンドルは、カバー部と一体形成される、本明細書に記載されたいずれかの側面搭載型エアフィルタカートリッジ。
【０１４４】
媒体パックは、第１の長さを有し、及びハンドルは、第１の長さの大部分である第２の長さを有する、本明細書に記載されたいずれかの側面搭載型エアフィルタカートリッジ。
【０１４５】
エアクリーナアセンブリであって、入口及び出口を画定し、且つ入口と出口との間にアクセス開口を含む筐体と、筐体内に受けられたフィルタカートリッジであって、アクセス開口を覆う、フィルタカートリッジと、係止機構であって、フィルタカートリッジが筐体に設置され、且つ筐体から取り外され得る係止解除位置と、フィルタカートリッジが筐体内に固定される係止位置との間で移動可能である、係止機構とを含み、フィルタカートリッジ及び係止機構は、フィルタカートリッジが筐体内に設置されるときのみ、係止機構が係止解除位置から係止位置に動かされることを可能にする相互作用特徴を含むエアクリーナアセンブリ。
【０１４６】
相互作用特徴は、フィルタカートリッジ上のタブ及び係止機構内に装着された係止バネを含む、本明細書に記載されたいずれかのエアクリーナアセンブリ。
【０１４７】
係止バネは、弛緩位置と偏向位置との間で移動可能であり、バネが弛緩位置にあるとき、係止バネは、係止機構が係止解除位置から回転して外れることを防止するように係止機構の操作部の回転を防止する、本明細書に記載されたいずれかのエアクリーナアセンブリ。
【０１４８】
係止バネは、係止バネが弛緩位置にあるときに操作部と係合するラッチ部を含む、本明細書に記載されたいずれかの側面搭載型エアフィルタカートリッジ。
【０１４９】
ラッチ部は、係止バネが弛緩位置にあるとき、操作部の側縁部と係合する、本明細書に記載されたいずれかのエアクリーナアセンブリ。
【０１５０】
フィルタカートリッジのタブは、フィルタカートリッジが筐体内に完全に設置されるとき、係止バネを偏向位置に動かす、本明細書に記載されたいずれかのエアクリーナアセンブリ。
【０１５１】
係止機構は、２つの係止機構を含む、本明細書に記載されたいずれかのエアクリーナアセンブリ。
【０１５２】
係止機構は、係止機構が係止位置にあるときにフィルタカートリッジの一部と係合する回転可能な操作部を含む、本明細書に記載されたいずれかのエアクリーナアセンブリ。
【０１５３】
媒体パックをエアクリーナ筐体に設置し、且つそれから取り外すためのハンドルを更に含み、ハンドルは、媒体パックの外周の外側にある、本明細書に記載されたいずれかのエアクリーナアセンブリ。
【０１５４】
ハンドルは、媒体パックの長手方向軸に平行な方向に延在する、本明細書に記載されたいずれかのエアクリーナアセンブリ。
【０１５５】
ハンドルは、カバー部と一体形成される、本明細書に記載されたいずれかのエアクリーナアセンブリ。
【０１５６】
媒体パックは、第１の長さを有し、及びハンドルは、第１の長さの大部分である第２の長さを有する、本明細書に記載されたいずれかのエアクリーナアセンブリ。
【０１５７】
エアフィルタカートリッジをエアクリーナ筐体内に固定するための係止機構であって、エアフィルタカートリッジの筐体に装着するように構成された基部と、基部に回転可能に装着された操作部であって、係止解除位置と係止位置との間で回転可能である、操作部と、基部に装着された係止バネであって、弛緩位置と偏向位置との間で移動可能であり、係止バネが弛緩位置にあるとき、操作部は、係止解除位置から係止位置に回転することを防止される、係止バネとを含む係止機構。
【０１５８】
操作部は、係止バネを弛緩位置から係止位置に動かすために、フィルタカートリッジのタブ部を受けるための陥凹領域を画定する、本明細書に記載されたいずれかの係止機構。
【０１５９】
係止バネの一部は、操作部の陥凹領域内に延在する、本明細書に記載されたいずれかの係止機構。
【０１６０】
係止バネは、係止バネが弛緩位置にあるときに操作部と係合するラッチ部を含む、本明細書に記載されたいずれかの係止機構。
【０１６１】
ラッチ部は、係止バネが弛緩位置にあるとき、操作部の側縁部と係合する、本明細書に記載されたいずれかの係止機構。
【０１６２】
操作部を基部に固定する止め輪を更に含む、本明細書に記載されたいずれかの係止機構。
【０１６３】
操作部は、基部を通して延在するステム部を含み、止め輪は、操作部を基部に固定するためにステムに装着される、本明細書に記載されたいずれかの係止機構。
【０１６４】
基部は、基部をエアクリーナ筐体に固定するための装着特徴を含む、本明細書に記載されたいずれかの係止機構。
【０１６５】
係止機構は、係止バネの対を含む、本明細書に記載されたいずれかの係止機構。
【０１６６】
係止機構は、陥凹領領域の対を含む、本明細書に記載されたいずれかの係止機構。
【０１６７】
エアクリーナアセンブリであって、入口及び出口を画定し、且つ入口と出口との間にアクセス開口を含む筐体と、筐体内に受けられたフィルタカートリッジであって、アクセス開口を覆うカバー部を含み、カバー部は、タブ構造を含む、フィルタカートリッジと、係止機構であって、エアフィルタカートリッジの筐体に装着された基部と、基部に回転可能に装着された操作部であって、係止解除位置と係止位置との間で回転可能である、操作部と、基部に装着された係止バネであって、弛緩位置と偏向位置との間で移動可能であり、係止バネが弛緩位置にあるとき、操作部は、係止解除位置から係止位置に回転することを防止される、係止バネとを含む係止機構とを含むエアクリーナアセンブリ。
【０１６８】
操作部は、基部の中央孔内に受けられたステム部を含み、操作部は、ステム部に装着された止め輪によって基部に固定される、本明細書に記載されたいずれかのエアクリーナアセンブリ。
【０１６９】
操作部は、フィルタカートリッジのタブ構造を受けるための陥凹領域を画定し、タブ構造は、フィルタカートリッジが筐体内に設置されるとき、係止バネを弛緩位置から係止位置に動かす、本明細書に記載されたいずれかのエアクリーナアセンブリ。
【０１７０】
係止バネは、係止バネが弛緩位置にあるときに操作部と係合するラッチ部を含む、本明細書に記載されたいずれかのエアクリーナアセンブリ。
【０１７１】
係止機構は、係止バネの対を含む、本明細書に記載されたいずれかのエアクリーナアセンブリ。
【０１７２】
係止機構は、陥凹領域の対を含む、本明細書に記載されたいずれかのエアクリーナアセンブリ。
【０１７３】
媒体パックをエアクリーナ筐体に設置し、且つそれから取り外すためのハンドルを更に含み、ハンドルは、媒体パックの外周の外側にある、本明細書に記載されたいずれかのエアクリーナアセンブリ。
【０１７４】
ハンドルは、媒体パックの長手方向軸に平行な方向に延在する、本明細書に記載されたいずれかのエアクリーナアセンブリ。
【０１７５】
ハンドルは、カバー部と一体形成される、本明細書に記載されたいずれかのエアクリーナアセンブリ。
【０１７６】
媒体パックは、第１の長さを有し、及びハンドルは、第１の長さの大部分である第２の長さを有する、本明細書に記載されたいずれかのエアクリーナアセンブリ。
【０１７７】
フィルタ筐体であって、第１の端部と第２の端部との間に延在する本体であって、第１の端部と第２の端部との間にアクセス開口を画定し、アクセス開口は、フィルタカートリッジを受けるためのものであり、本体は、出口端部に置かれた第１のフランジを有する、本体と、基部端部と出口端部との間に延在する出口本体であって、基部端部の近位に出口本体のフランジを有し、出口本体のフランジが本体の第１のフランジに隣接するように本体に連結され、第１のフランジは、出口本体のフランジと出口本体の出口端部との間に置かれる、出口本体とを含むフィルタ筐体。
【０１７８】
出口本体は、スナップ嵌合連結で本体に連結される、本明細書に記載されたいずれかのフィルタ筐体。
【０１７９】
出口本体は、第１のシール表面であって、それに対して、本体内に配設されたフィルタカートリッジがシールを形成することができる第１のシール表面を画定する、本明細書に記載されたいずれかのフィルタ筐体。
【０１８０】
出口本体は、フィルタカートリッジで第１のシールを形成するために、第１のシール表面を画定する第１のシールフランジを画定する、本明細書に記載されたいずれかのフィルタ筐体。
【０１８１】
入口端部に置かれた本体の第２のフランジと、基部端部と入口端部との間に延在する入口本体であって、基部端部の近位に入口本体のフランジを有し、入口本体のフランジが本体の第２のフランジに隣接するように本体に連結され、第２のフランジは、入口本体のフランジと出口本体の入口端部との間に置かれる、入口本体とを更に含む、本明細書に記載されたいずれかのフィルタ筐体。
【０１８２】
入口本体は、スナップ嵌合連結で本体に連結される、本明細書に記載されたいずれかのフィルタ筐体。
【０１８３】
入口本体は、本体内に収納されたフィルタカートリッジで第２のシールを形成するために、第２のシール表面を画定する第２のシールフランジを画定する、本明細書に記載されたいずれかのフィルタ筐体。
【０１８４】
フィルタ筐体であって、第１の端部と第２の端部との間に延在する本体であって、第１の端部と第２の端部との間にアクセス開口を画定し、アクセス開口は、フィルタカートリッジを受けるためのものであり、本体は、入口端部に置かれた第１のフランジを有する、本体と、基部端部と入口端部との間に延在する入口本体であって、基部端部の近位に入口本体のフランジを有し、入口本体のフランジが本体の第１のフランジに隣接するように本体に連結され、第２のフランジは、入口本体のフランジと出口本体の入口端部との間に置かれる、入口本体とを含むフィルタ筐体。
【０１８５】
入口本体は、スナップ嵌合連結で本体に連結される、本明細書に記載されたいずれかのフィルタ筐体。
【０１８６】
入口本体は、第１のシール表面であって、それに対して、本体内に配設されたフィルタカートリッジがシールを形成することができる第１のシール表面を画定する、本明細書に記載されたいずれかのフィルタ筐体。
【０１８７】
入口本体は、フィルタカートリッジで第１のシールを形成するために、第１のシール表面を画定する第１のシールフランジを画定する、本明細書に記載されたいずれかのフィルタ筐体。
【０１８８】
入口端部に置かれた本体の第２のフランジと、基部端部と出口端部との間に延在する出口本体であって、基部端部の近位に出口本体のフランジを有し、出口本体のフランジが本体の第２のフランジに隣接するように本体に連結され、第２のフランジは、出口本体のフランジと出口本体の出口端部との間に置かれる、出口本体とを更に含む、本明細書に記載されたいずれかのフィルタ筐体。
【０１８９】
出口本体は、スナップ嵌合連結で本体に連結される、本明細書に記載されたいずれかのフィルタ筐体。
【０１９０】
出口本体は、第２のシール表面であって、それに対して、本体内に配設されたフィルタカートリッジがシールを形成することができる第２のシール表面を画定する、本明細書に記載されたいずれかのフィルタ筐体。
【０１９１】
出口本体は、フィルタカートリッジで第２のシールを形成するために、第２のシール表面を画定する第２のシールフランジを画定する、本明細書に記載されたいずれかのフィルタ筐体。
【０１９２】
エアクリーナ筐体であって、第１の端部と第２の端部との間に延在する本体であって、第１の端部と第２の端部との間にアクセス開口を画定し、アクセス開口は、フィルタカートリッジを受けるためのものであり、本体は、出口端部に置かれた第１のフランジを有する、本体と、基部端部と出口端部との間に延在する出口本体であって、基部端部の近位に出口本体のフランジを有し、出口本体のフランジが本体の第１のフランジに隣接するように本体に連結され、第１のフランジは、出口本体のフランジと出口本体の出口端部との間に置かれる、出口本体と、基部端部と入口端部との間に延在する入口本体であって、基部端部の近位に入口本体のフランジを有し、入口本体のフランジが本体の第２のフランジに隣接するように本体に連結され、第２のフランジは、入口本体のフランジと出口本体の入口端部との間に置かれる、入口本体とを含むエアクリーナ筐体。
【０１９３】
入口本体及び出口本体は、スナップ嵌合連結で本体に連結される、本明細書に記載されたいずれかのエアクリーナフィルタ筐体。
【０１９４】
出口本体は、第１のシール表面であって、それに対して、本体内に配設されたフィルタカートリッジが第１のシールを形成することができる第１のシール表面を画定し、及び入口本体は、第２のシール表面であって、それに対してフィルタカートリッジが第２のシールを形成することができる第２のシール表面を画定する、本明細書に記載されたいずれかのエアクリーナフィルタ筐体。
【０１９５】
出口本体は、第１のシール表面を画定する第１のシールフランジを画定し、及び入口本体は、第２のシール表面を画定する第２のシールフランジを画定する、本明細書に記載されたいずれかのエアクリーナフィルタ筐体。
【０１９６】
入口本体は、プレクリーナ空気分離器を含み、及び出口本体は、二次フィルタカートリッジを収納するように構成される、本明細書に記載されたいずれかのエアクリーナフィルタ筐体。
【０１９７】
エアクリーナアセンブリであって、入口及び出口を画定し、且つ入口と出口との間にアクセス開口を含む筐体と、筐体内に作動可能に設置されたエアフィルタカートリッジと、筐体の外側上に置かれた装着配置の対であって、装着配置の対のそれぞれは、少なくとも１つの装着ボルトを摺動可能に保持する、装着配置の対とを含むエアクリーナアセンブリ。
【０１９８】
筐体は、チャネル構造の対を画定し、装着配置の対のそれぞれは、チャネル構造の対の一方内に設置される、本明細書に記載されたいずれかのエアクリーナアセンブリ。
【０１９９】
装着配置の対のそれぞれは、第１のチャネル部及び第２のチャネル部を含み、第２のチャネル部は、第２のチャネル部内に受けられる、本明細書に記載されたいずれかのエアクリーナアセンブリ。
【０２００】
第１のチャネル部は、装着構造内に少なくとも１つの装着ボルトの頭部を保持するフランジ部を含む、本明細書に記載されたいずれかのエアクリーナアセンブリ。
【０２０１】
第２のチャネル部は、少なくとも１つの装着ボルトの頭部が装着構造に対して回転することを防止する側壁を含む、本明細書に記載されたいずれかのエアクリーナアセンブリ。
【０２０２】
第１のチャネル部の対のそれぞれの第１のチャネル部のフランジ部は、少なくとも１つの装着ボルトの頭部を受けるための開口を画定する、本明細書に記載されたいずれかのエアクリーナアセンブリ。
【０２０３】
装着配置の対のそれぞれは、第２のチャネル部内に位置決めされた弾性の細長いスペーサを含み、スペーサは、少なくとも１つの装着ボルトの位置を保持し、且つ少なくとも１つの装着ボルトと装着構造との間の振動を減衰するためのものである、本明細書に記載されたいずれかのエアクリーナアセンブリ。
【０２０４】
少なくとも１つの装着ボルトは、装着ボルトの対を含む、本明細書に記載されたいずれかのエアクリーナアセンブリ。
【０２０５】
チャネル構造の対に固定された複数の装着クリップを更に含み、複数の装着クリップは、エアクリーナアセンブリに固定装着位置を提供するためのものである、本明細書に記載されたいずれかのエアクリーナアセンブリ。
【０２０６】
複数の装着クリップのそれぞれは、装着ボルトを受けるためのネジ付き連結部を含む、本明細書に記載されたいずれかのエアクリーナアセンブリ。
【０２０７】
複数の装着クリップのそれぞれは、スナップ嵌合連結で筐体に取り付けられる、本明細書に記載されたいずれかのエアクリーナアセンブリ。
【０２０８】
エアクリーナアセンブリであって、入口及び出口を画定し、且つ入口と出口との間にアクセス開口を含む筐体と、筐体の内部領域内に受けられたフィルタカートリッジであって、挿入輪郭部を画定する、フィルタカートリッジと、筐体の内部に置かれた位置決め配置であって、フィルタカートリッジの挿入輪郭部に補完的な形状を有する内部輪郭を画定し、フィルタカートリッジは、フィルタカートリッジが単一の方向に配向されるときのみ、筐体の内部領域内に完全に挿入され得る、位置決め配置とを含むエアクリーナアセンブリ。
【０２０９】
位置決め配置は、２つの位置決め配置を含み、及びフィルタカートリッジの挿入輪郭部は、２つの輪郭部を含む、本明細書に記載されたいずれかのエアクリーナアセンブリ。
【０２１０】
媒体パックをエアクリーナ筐体に設置し、且つそれから取り外すためのハンドルを更に含み、ハンドルは、媒体パックの外周の外側にある、本明細書に記載されたいずれかのエアクリーナアセンブリ。
【０２１１】
ハンドルは、媒体パックの長手方向軸に平行な方向に延在する、本明細書に記載されたいずれかのエアクリーナアセンブリ。
【０２１２】
ハンドルは、カバー部と一体形成される、本明細書に記載されたいずれかのエアクリーナアセンブリ。
【０２１３】
媒体パックは、第１の長さを有し、及びハンドルは、第１の長さの大部分である第２の長さを有する、本明細書に記載されたいずれかのエアクリーナアセンブリ。
【０２１４】
本明細に示されるか又は記載されたエアクリーナアセンブリ又はフィルタカートリッジのあらゆる実施形態など、エアクリーナアセンブリ又はフィルタカートリッジを作成及び使用する方法。
【０２１５】
エアフィルタカートリッジをエアクリーナ筐体内に固定するためのアクセスカバーであって、第１の軸方向端部と第２の軸方向端部との間及び外側と内側との間に延在する本体であって、内側は、閉鎖力をエアフィルタカートリッジ上に掛けるように適合される、本体、アクセスカバーの本体に作動可能に連結された第１の連結部材であって、本体の第１の軸方向端部の近位に置かれ、本体の軸方向位置を筐体に対して固定し、且つアクセスカバーが第１の連結部材によってエアクリーナ筐体に固定されるときに閉鎖力を生成するためにエアクリーナ筐体の係止機構と相互作用する、第１の連結部材を含むアクセスカバー。
【０２１６】
第１の連結部材と反対側で第２の軸方向端部の近位に置かれた第２の連結部材を更に含む、本明細書に記載されたいずれかのアクセスカバー。
【０２１７】
第１及び第２の連結部材の一方又は両方は、本体と一体形成される、本明細書に記載されたいずれかのアクセスカバー。
【０２１８】
第１及び第２の連結部材の一方又は両方は、それぞれ弓形状側壁を含む、本明細書に記載されたいずれかのアクセスカバー。
【０２１９】
各弓形状側壁は、媒体パック及び長手方向軸から離れて直角に延在する、本明細書に記載されたいずれかのアクセスカバー。
【０２２０】
各弓形状側壁は、筐体に装着された係止機構上の対応する特徴を受けるための戻り止めを含む、本明細書に記載されたいずれかのアクセスカバー。
【０２２１】
第１及び第２の連結部材の一方又は両方は、筐体に関連した対応する係止機構と相互作用するためのタブ構造をそれぞれ含む、本明細書に記載されたいずれかのアクセスカバー。
【０２２２】
第１及び第２の連結部材のタブ構造の一方又は両方は、長手方向軸に平行な方向に延在する、本明細書に記載されたいずれかのアクセスカバー。
【０２２３】
第１及び第２の連結部材の一方又は両方のタブ構造は、第１のタブ構造が媒体パックの出口端部を超えて軸方向に延在し、及び第２のタブ構造が媒体パックの入口端部を超えて軸方向に延在するように互いから離れて延在する、本明細書に記載されたいずれかのアクセスカバー。
【０２２４】
第１及び第２の連結部材の一方又は両方のタブ構造は、軸方向に延在する平行なタブの対をそれぞれ含む、本明細書に記載されたいずれかのアクセスカバー。
【０２２５】
各弓形状側壁は、タブ構造の１つによって少なくとも部分的に支持される、本明細書に記載されたいずれかのアクセスカバー。
【０２２６】
本体は、一体形成されたハンドルを含む、本明細書に記載されたいずれかのアクセスカバー。
【０２２７】
ハンドルは、連結特徴の対間で軸方向に延在する、本明細書に記載されたいずれかのアクセスカバー。
【０２２８】
本体は、長手方向対称軸を有する、本明細書に記載されたいずれかのアクセスカバー。
【０２２９】
本体は、横方向対称軸を有する、本明細書に記載されたいずれかのアクセスカバー。
【０２３０】
側面搭載型エアフィルタカートリッジであって、エアクリーナ筐体の側開口内に設置するように構成された媒体パックであって、入口面と出口面との間の長手方向軸に沿って延在し、外周を画定する、媒体パックと、媒体パックに対して作動可能に位置決めされたシール配置であって、出口流端部に向かって面する軸方向シール表面を画定し、軸方向シール表面の一部は、長手方向軸に斜角に配置される、シール配置と、媒体パックをエアクリーナ筐体内に固定するためのアクセスカバーであって、アクセスカバーは、第１の軸方向端部と第２の軸方向端部との間及び外側と内側との間に延在する本体を含み、アクセスカバーの第１及び第２の軸方向端部は、媒体パックの入口面及び出口面を超えて延在し、第１及び第２の内側は、閉鎖表面を画定するために媒体パックの外周を超えて延在し、閉鎖表面は、長手方向軸に対して変化する輪郭を有し、且つ媒体パックの長手方向軸に直角な第１の対称軸を有する、アクセスカバーとを含む側面搭載型エアフィルタカートリッジ。
【０２３１】
アクセスカバーは、媒体パックの長手方向軸に平行な第２の対称軸を有する、本明細書に記載されたいずれかの側面搭載型エアフィルタカートリッジ。
【０２３２】
第１の連結部材と反対側で第２の軸方向端部の近位に置かれた第２の連結部材を更に含む、本明細書に記載されたいずれかの側面搭載型エアフィルタカートリッジ。
【０２３３】
第１及び第２の連結部材の一方又は両方は、本体と一体形成される、本明細書に記載されたいずれかの側面搭載型エアフィルタカートリッジ。
【０２３４】
第１及び第２の連結部材の一方又は両方は、それぞれ弓形状側壁を含む、本明細書に記載されたいずれかの側面搭載型エアフィルタカートリッジ。
【０２３５】
各弓形状側壁は、媒体パック及び長手方向軸から離れて直角に延在する、本明細書に記載されたいずれかの側面搭載型エアフィルタカートリッジ。
【０２３６】
各弓形状側壁は、筐体に装着された係止機構上の対応する特徴を受けるための戻り止めを含む、本明細書に記載されたいずれかの側面搭載型エアフィルタカートリッジ。
【０２３７】
第１及び第２の連結部材の一方又は両方は、筐体に関連した対応する係止機構と相互作用するためのタブ構造をそれぞれ含む、本明細書に記載されたいずれかの側面搭載型エアフィルタカートリッジ。
【０２３８】
第１及び第２の連結部材のタブ構造の一方又は両方は、長手方向軸に平行な方向に延在する、本明細書に記載されたいずれかの側面搭載型エアフィルタカートリッジ。
【０２３９】
第１及び第２の連結部材の一方又は両方のタブ構造は、第１のタブ構造が媒体パックの出口端部を超えて軸方向に延在し、及び第２のタブ構造が媒体パックの入口端部を超えて軸方向に延在するように互いから離れて延在する、本明細書に記載されたいずれかの側面搭載型エアフィルタカートリッジ。
【０２４０】
第１及び第２の連結部材の一方又は両方のタブ構造は、軸方向に延在する平行なタブの対をそれぞれ含む、本明細書に記載されたいずれかの側面搭載型エアフィルタカートリッジ。
【０２４１】
各弓形状側壁は、タブ構造の１つによって少なくとも部分的に支持される、本明細書に記載されたいずれかの側面搭載型エアフィルタカートリッジ。
【０２４２】
本体は、一体形成されたハンドルを含む、本明細書に記載されたいずれかの側面搭載型エアフィルタカートリッジ。
【０２４３】
ハンドルは、連結特徴の対間で軸方向に延在する、本明細書に記載されたいずれかの側面搭載型エアフィルタカートリッジ。
【０２４４】
本体は、長手方向対称軸を有する、本明細書に記載されたいずれかの側面搭載型エアフィルタカートリッジ。
【０２４５】
本体は、横方向対称軸を有する、本明細書に記載されたいずれかの側面搭載型エアフィルタカートリッジ。
【０２４６】
エアフィルタカートリッジであって、エアクリーナ筐体内に設置するように構成された媒体パックであって、入口面と出口面との間の長手方向軸に沿って延在する、媒体パックと、媒体パックに対して作動可能に位置決めされたシール配置であって、半径方向シール表面を画定する、シール配置と、媒体パックの入口面の近位の入口端部及び媒体パックの出口面の近位の出口端部を有する支持枠であって、媒体パックに外接する周囲部、入口端部に近位のハンドル部であって、操作者がエアフィルタカートリッジをエアクリーナ筐体内に設置し、且つそれから取り外すことを可能にするためのものである、ハンドル部、出口端部に近位の位置決め配置の第１の部材であって、エアフィルタカートリッジの位置をエアクリーナ筐体に対して固定するために、エアクリーナ筐体上に置かれた位置決め配置の第２の部材と相互作用するためのものである、第１の部材を画定する、支持枠とを含むエアフィルタカートリッジ。
【０２４７】
ハンドル部は、周囲部から半径方向に離れて延在する、本明細書に記載されたいずれかのエアフィルタカートリッジ。
【０２４８】
位置決め配置の第１の部材は、周囲部内に画定されたスロットであり、スロットは、媒体パックの長手方向軸に平行な方向に延在する、本明細書に記載されたいずれかのエアフィルタカートリッジ。
【０２４９】
支持枠の周囲部、ハンドル部及び第１の部材は、単一の構成要素として一体形成される、本明細書に記載されたいずれかのエアフィルタカートリッジ。
【０２５０】
シール配置は、支持枠に装着される、本明細書に記載されたいずれかのエアフィルタカートリッジ。
【０２５１】
シール配置は、非平面である、本明細書に記載されたいずれかのエアフィルタカートリッジ。
【０２５２】
シール配置の第１の部分は、媒体パックの入口端部の近位にあり、及びシール配置の第２の部分は、媒体パックの出口端部の近位にある、本明細書に記載されたいずれかのエアフィルタカートリッジ。
【０２５３】
シール配置の第１の部分は、支持枠上のハンドル部から反対側に位置決めされ、及びシール配置の第２の部分は、支持枠上の位置決め配置の第１の部材から反対側に位置決めされる、本明細書に記載されたいずれかのエアフィルタカートリッジ。
【０２５４】
媒体パックは、襞付き媒体を含む、本明細書に記載されたいずれかのエアフィルタカートリッジ。
【０２５５】
シール配置は、リップシールの対を含む、本明細書に記載されたいずれかのエアフィルタカートリッジ。
【０２５６】
シール配置は、支持枠上に射出成形される、本明細書に記載されたいずれかのエアフィルタカートリッジ。
【０２５７】
エアクリーナを保守する方法であって、エアクリーナの筐体に装着された１つ又は複数の係止機構を係止解除位置に位置決めするステップであって、１つ又は複数の係止機構は、フィルタカートリッジが筐体から取り外されるとき、係止解除位置から係止位置に動くことを防止される、ステップと、フィルタカートリッジをエアクリーナ筐体内に挿入するステップであって、１つ又は複数の係止機構が係止解除位置から係止位置に移動可能であることを可能にする、ステップと、１つ又は複数の係止機構を係止位置に動かすステップとを含む方法。１つ又は複数の係止機構は、係止機構の対を含む、保守する方法。１つ又は複数の係止機構は、係止バネであって、係止バネが第１の位置にあるとき、１つ又は複数の係止機構が係止解除位置から係止位置に動くことを防止する係止バネを含み、フィルタカートリッジは、係止バネを第１の位置から出して動かすための構成要素を含む、保守する方法。
【０２５８】
本発明は、ここで、そのいくつかの実施形態を参照して記載された。本明細書に特定されたあらゆる特許又は特許出願の全開示は、参照により本明細書に組み込まれる。前述の詳細な記載及び実施例は、理解しやすくするために与えられたに過ぎない。それから不要な限定が何らなされることはないことを理解されたい。本発明の範囲から逸脱することなく、記載された実施形態に対する多くの変形形態がなされ得ることが当業者に明らかになるであろう。従って、本発明の範囲は、本明細書に記載された構造ではなく、特許請求の範囲の言語によって記載された構造及びそれらの構造の均等物のみによって限定されるべきである。
【図１】
2020522372.tif 000003
【図１Ａ】
2020522372.tif 000004
【図１Ｂ】
2020522372.tif 000005
【図２】
2020522372.tif 000006
【図３】
2020522372.tif 000007
【図３Ａ】
2020522372.tif 000008
【図３Ｂ】
2020522372.tif 000009
【図４】
2020522372.tif 000010
【図５】
2020522372.tif 000011
【図６】
2020522372.tif 000012
【図６Ａ】
2020522372.tif 000013
【図６Ｂ】
2020522372.tif 000014
【図６Ｃ】
2020522372.tif 000015
【図６Ｄ】
2020522372.tif 000016
【図６Ｅ】
2020522372.tif 000017
【図７】
2020522372.tif 000018
【図８】
2020522372.tif 000019
【図９】
2020522372.tif 000020
【図１０】
2020522372.tif 000021
【図１１】
2020522372.tif 000022
【図１１Ａ】
2020522372.tif 000023
【図１２】
2020522372.tif 000024
【図１３】
2020522372.tif 000025
【図１４】
2020522372.tif 000026
【図１５】
2020522372.tif 000027
【図１６】
2020522372.tif 000028
【図１７】
2020522372.tif 000029
【図１８】
2020522372.tif 000030
【図１８Ａ】
2020522372.tif 000031
【図１９】
2020522372.tif 000032
【図２０】
2020522372.tif 000033
【図２１】
2020522372.tif 000034
【図２２】
2020522372.tif 000035
【図２３】
2020522372.tif 000036
【図２４】
2020522372.tif 000037
【図２５】
2020522372.tif 000038
【図２６】
2020522372.tif 000039
【図２７】
2020522372.tif 000040
【図２８】
2020522372.tif 000041
【図２９】
2020522372.tif 000042
【図３０】
2020522372.tif 000043
【図３１】
2020522372.tif 000044
【図３２】
2020522372.tif 000045
【図３２Ａ】
2020522372.tif 000046
【図３３】
2020522372.tif 000047
【図３４】
2020522372.tif 000048
【図３５】
2020522372.tif 000049
【図３５Ａ】
2020522372.tif 000050
【図３６】
2020522372.tif 000051
【図３７】
2020522372.tif 000052
【図３８】
2020522372.tif 000053
【図３９】
2020522372.tif 000054
【図３９Ａ】
2020522372.tif 000055
【図３９Ｂ】
2020522372.tif 000056
【図４０】
2020522372.tif 000057
【図４１】
2020522372.tif 000058
【図４２】
2020522372.tif 000059
【図４３】
2020522372.tif 000060
【図４４】
2020522372.tif 000061
【図４５】
2020522372.tif 000062
【図４６】
2020522372.tif 000063
【図４６Ａ】
2020522372.tif 000064
【図４６Ｂ】
2020522372.tif 000065
【図４７】
2020522372.tif 000066
【図４８】
2020522372.tif 000067
【図４９】
2020522372.tif 000068
【図５０】
2020522372.tif 000069
【図５１】
2020522372.tif 000070
【図５２】
2020522372.tif 000071
【図５３】
2020522372.tif 000072
【図５４】
2020522372.tif 000073
【図５５】
2020522372.tif 000074
【図５６】
2020522372.tif 000075
【図５７】
2020522372.tif 000076
【図５８】
2020522372.tif 000077
【図５９】
2020522372.tif 000078
【図６０】
2020522372.tif 000079
【図６１】
2020522372.tif 000080
【図６１Ａ】
2020522372.tif 000081
【図６１Ｂ】
2020522372.tif 000082
【図６１Ｃ】
2020522372.tif 000083
【図６２】
2020522372.tif 000084
【図６３】
2020522372.tif 000085
【図６４】
2020522372.tif 000086
【図６５】
2020522372.tif 000087
【図６６】
2020522372.tif 000088
【図６７】
2020522372.tif 000089
【図６８】
2020522372.tif 000090
【図６９】
2020522372.tif 000091
【図７０】
2020522372.tif 000092
【図７１】
2020522372.tif 000093
【図７２】
2020522372.tif 000094
【図７３】
2020522372.tif 000095
【図７４】
2020522372.tif 000096
【図７５】
2020522372.tif 000097
【図７６】
2020522372.tif 000098
【図７７】
2020522372.tif 000099
【図７８】
2020522372.tif 000100
【図７９】
2020522372.tif 000101
【図８０】
2020522372.tif 000102
【図８１】
2020522372.tif 000103
【図８２】
2020522372.tif 000104
【図８３】
2020522372.tif 000105
【図８４】
2020522372.tif 000106
【図８５】
2020522372.tif 000107
【図８６】
2020522372.tif 000108
【図８７】
2020522372.tif 000109
【図８８】
2020522372.tif 000110
【図８９】
2020522372.tif 000111
【図９０】
2020522372.tif 000112
【図９１】
2020522372.tif 000113
【図９２】
2020522372.tif 000114
【図９３】
2020522372.tif 000115
【図９４】
2020522372.tif 000116
【図９５】
2020522372.tif 000117
【図９６】
2020522372.tif 000118
【図９７】
2020522372.tif 000119
【図９８】
2020522372.tif 000120
【図９９】
2020522372.tif 000121
【図１００】
2020522372.tif 000122
【図１０１】
2020522372.tif 000123
【図１０２】
2020522372.tif 000124
【図１０３】
2020522372.tif 000125
【図１０４】
2020522372.tif 000126
【図１０５】
2020522372.tif 000127
【図１０５Ａ】
2020522372.tif 000128
【図１０６】
2020522372.tif 000129
【図１０７】
2020522372.tif 000130
【手続補正書】
【提出日】令和2年1月21日(2020.1.21)
【手続補正１】
【補正対象書類名】明細書
【補正対象項目名】０００６
【補正方法】変更
【補正の内容】
【０００６】
【図１】本発明の実施形態によるエアクリーナの第１の斜視図である。
【図１Ａ】一次フィルタカートリッジを筐体から取り外すように示された、図１に示されたエアクリーナの斜視図である。
【図１Ｂ】装着配置の装着構造を筐体から取り外すように示された、図１に示されたエアクリーナの斜視図である。
【図２】図１に示されたエアクリーナの第２の斜視図である。
【図３】図１に示されたエアクリーナの側面図である。
【図３Ａ】図３における３Ａ−３Ａ線に沿って切り取った、図１に示されたエアクリーナの断面図である。
【図３Ｂ】図３Ａに示されたエアクリーナの一部の拡大図である。
【図４】図１に示されたエアクリーナの入口端面図である。
【図５】図１に示されたエアクリーナの出口端面図である。
【図６】図１に示されたエアクリーナの平面図である。
【図６Ａ】図６における６Ａ−６Ａ線に沿って切り取った、図１に示されたエアクリーナの断面図である。
【図６Ｂ】フィルタカートリッジがエアクリーナから取り外された、図６Ａに示されたエアクリーナの断面図である。
【図６Ｃ】図６における６Ｃ−６Ｃ線に沿って切り取った、図１に示されたエアクリーナの断面図である。
【図６Ｄ】図６Ｃに示されたエアクリーナの一部の拡大図である。
【図６Ｅ】図６における６Ｅ−６Ｅ線に沿って切り取った、図１に示されたエアクリーナの断面図である。
【図７】図１に示されたエアクリーナの底面図である。
【図８】図１に示されたエアクリーナの分解斜視図である。
【図９】図１に示されたエアクリーナの筐体の第１の斜視図である。
【図１０】図１０に示された筐体の第２の斜視図である。
【図１１】図１０に示された筐体の平面図である。
【図１１Ａ】図１１における１１Ａ−１１Ａ線に沿って切り取った、図９に示された筐体の断面図である。
【図１２】図１０に示された筐体の第１の側面図である。
【図１３】図１２に示された筐体の第２の側面図である。
【図１４】図１に示されたエアクリーナの出口アセンブリの第１の斜視図である。
【図１５】図１４に示された出口アセンブリの第２の斜視図である。
【図１６】図１４に示された出口アセンブリの端面図である。
【図１７】図１４に示された出口アセンブリの側面図である。
【図１８】図１４に示された出口アセンブリの端面図である。
【図１８Ａ】図１８における１８Ａ−１８Ａ線に沿って切り取った、図１４に示された出口アセンブリの断面図である。
【図１９】図１に示されたエアクリーナの入口アセンブリの部分分解斜視図である。
【図２０】図１９に示された入口アセンブリの第１の斜視図である。
【図２１】図１９に示された入口アセンブリの端面図である。
【図２２】図１９に示された入口アセンブリの側面図である。
【図２３】図２１における２３−２３線に沿って切り取った、図１９に示された入口アセンブリの断側面図である。
【図２４】プレクリーナアセンブリが取り外された、図１９に示された入口アセンブリの斜視図である。
【図２５】ダスト排出アセンブリが取り外された、図２４に示された入口アセンブリの斜視図である。
【図２６】図１９に示された入口アセンブリのダスト排出ポートの斜視図である。
【図２７】図２６に示されたダスト排出ポートの側面図である。
【図２８】図１９に示された入口アセンブリのダスト排出ポートクリップの第１の斜視図である。
【図２９】図２８に示されたダスト排出ポートクリップの第２の斜視図である。
【図３０】図２８に示されたダスト排出ポートクリップの平面図である。
【図３１】図２８に示されたダスト排出ポートクリップの端面図である。
【図３２】図１に示されたエアクリーナの係止機構の１つの平面図である。
【図３２Ａ】図３２における３２Ａ−３２Ａ線に沿って切り取った、図３２に示された係止機構の断面図である。
【図３３】図３２に示された係止機構の底面図である。
【図３４】図３２に示された係止機構の第１の端面図である。
【図３５】図３２に示された係止機構の第２の端面図である。
【図３５Ａ】図３５に示された３５Ａ−３５Ａ線に沿って切り取った、図３２に示された係止機構の断面図である。
【図３６】カバー部が取り外された、図３２に示された係止機構の平面斜視図である。
【図３７】図３２に示された係止機構の底面分解斜視図である。
【図３８】図３２に示された係止機構の平面分解斜視図である。
【図３９】図３２に示された係止機構の操作部の平面図である。
【図３９Ａ】図３９における３９Ａ−３９Ａ線に沿って切り取った、図３９に示された操作部の断面図である。
【図３９Ｂ】図３９における３９Ｂ−３９Ｂ線に沿って切り取った、図３９に示された操作部の断面図である。
【図４０】図３９に示された操作部の底面図である。
【図４１】図３９に示された操作部の第１の端面図である。
【図４２】図３９に示された操作部の第２の端面図である。
【図４３】図３９に示された操作部の側面図である。
【図４４】図３９に示された操作部の平面斜視図である。
【図４５】図３９に示された操作部の底面斜視図である。
【図４６】図３２に示された係止機構の基部の平面図である。
【図４６Ａ】図４６における４６Ａ−４６Ａ線に沿って切り取った、図４６に示された基部の断面図である。
【図４６Ｂ】図４６における４６Ｂ−４６Ｂ線に沿って切り取った、図４６に示された基部の断面図である。
【図４７】図４６に示された基部の底面図である。
【図４８】図４６に示された基部の第１の端面図である。
【図４９】図４６に示された基部の第２の端面図である。
【図５０】図４６に示された基部の側面図である。
【図５１】図４６に示された基部の平面斜視図である。
【図５２】図４６に示された基部の底面斜視図である。
【図５３】図３２に示された係止機構の係止バネの斜視図である。
【図５４】図５３に示された係止バネの平面図である。
【図５５】図５３に示された係止バネの側面図である。
【図５６】図３２に示された係止機構の止め輪の平面斜視図である。
【図５７】図５６に示された止め輪の底面斜視図である。
【図５８】図５６に示された止め輪の平面図である。
【図５９】図５６に示された止め輪の側面図である。
【図６０】図１に示されたエアクリーナの一次フィルタカートリッジの斜視図である。
【図６１】図６０に示されたフィルタカートリッジの側面図である。
【図６１Ａ】図６０に示されたフィルタカートリッジの代表的シール部材の斜視図である。
【図６１Ｂ】図６１Ａに示されたシール部材の第１の部分の断側面図である。
【図６１Ｃ】図６１Ａに示されたシール部材の第２の部分の拡大部である。
【図６２】図６０に示されたフィルタカートリッジの平面図である。
【図６３】図６０に示されたフィルタカートリッジの底面図である。
【図６４】図６０に示されたフィルタカートリッジの入口端面図である。
【図６５】図６０に示されたフィルタカートリッジの出口端面図である。
【図６６】図６０に示されたフィルタカートリッジの外殻の第１の斜視図である。
【図６７】図６６に示された外殻の第２の斜視図である。
【図６８】図６６に示された外殻の入口端面図である。
【図６９】図６６に示された外殻の出口端面図である。
【図７０】図６０に示されたフィルタカートリッジの媒体パックの斜視図である。
【図７１】図１に示されたエアクリーナの二次フィルタカートリッジの斜視図である。
【図７２】図７１に示されたフィルタカートリッジの入口端面図である。
【図７３】図７１に示されたフィルタカートリッジの出口端面図である。
【図７４】図７１に示されたフィルタカートリッジの側面図である。
【図７５】図６０に示されたフィルタカートリッジの第１のシール部材の斜視図である。
【図７６】図６０に示されたフィルタカートリッジの第２のシール部材の斜視図である。
【図７７】図７５及び７６に示された第１及び第２のシール部材の断面図である。
【図７８】図１に示されたエアクリーナの装着構造の斜視図である。
【図７９】図７８に示された装着構造の平面図である。
【図８０】図７８に示された装着構造の底面図である。
【図８１】図７８に示された装着構造の側面図である。
【図８２】図７８に示された装着構造の端面図である。
【図８３】図７８に示された装着構造の分解斜視図である。
【図８４】図７８に示された装着構造の第１の部分の斜視図である。
【図８５】図８４に示された装着構造の第１の部分の平面図である。
【図８６】図８４に示された装着構造の第１の部分の側面図である。
【図８７】図８４に示された装着構造の第１の部分の端面図である。
【図８８】図７８に示された装着構造の第２の部分の斜視図である。
【図８９】図８４に示された装着構造の第２の部分の平面図である。
【図９０】図８４に示された装着構造の第２の部分の側面図である。
【図９１】図８４に示された装着構造の第２の部分の端面図である。
【図９２】図１に示されたエアクリーナの装着構配置の装着クリップの第１の斜視図である。
【図９３】図９２に示された装着クリップの第２の斜視図である。
【図９４】図９２に示された装着クリップの第１の端面図である。
【図９５】図９２に示された装着クリップの第２の端面図である。
【図９６】図９２に示された装着クリップの平面図である。
【図９７】図９２に示された装着クリップの底面図である。
【図９８】図９２に示された装着クリップの側面図である。
【図９９】図１に示されたエアクリーナのスペーサモジュールの斜視図である。
【図１００】図９９に示されたスペーサモジュールの第２の斜視図である。
【図１０１】図９９に示されたスペーサモジュールの側面図である。
【図１０２】図９９に示されたスペーサモジュールの正面図である。
【図１０３】図９９に示されたスペーサモジュールの平面図である。
【図１０４】図９９に示されたスペーサモジュールの底面図である。
【図１０５】図９９に示されたスペーサモジュールの背面図である。
【図１０５Ａ】図１０５における１０５Ａ−１０５Ａ線に沿って切り取った、図９９に示されたスペーサモジュールの断面図である。
【図１０６】係止機構が係止位置にある、図１に示されたエアクリーナの斜視図である。
【図１０７】エアフィルタカートリッジが取り外され、係止機構が係止解除位置にある、図１に示されたエアクリーナの斜視図である。
【手続補正２】
【補正対象書類名】明細書
【補正対象項目名】００３４
【補正方法】変更
【補正の内容】
【００３４】
入口アセンブリ５０が筐体本体２０の内部領域２０ｉ内に残るように出口アセンブリ４０が筐体本体のアクセス開口２２ｆを通して挿入されるとき、入口アセンブリ５０は、装着表面５６ｂが筐体本体２０の端壁２２ｂに当接するまで、筐体本体の入口部２４（又は入口部）に向かって前方に押すことができる。この位置は、図３Ａ及び６Ａの断面図で最も容易に見られる。端壁２２ｂは、第１のフランジ部５６ａの装着表面５６ｂに対して確実な停止を提供する。この動作中、各ラッチ部５２ｅのランプ状表面５２ｆは、入口本体５２が十分に挿入されてラッチ部５２ｅが孔２４ｂ内に完全に受けられるまで、側壁２４ａの内部表面に沿って上昇する。この時点において、ラッチ部５２ｅの肩表面５２ｇは、スナップ嵌合型連結で孔２４ｂの縁部に対して係止し、入口筐体５２は、ラッチ部５２ｅ及び端壁２２ｂにより更なる動きを係止される。
【国際調査報告】
2020522372.tif 000131
2020522372.tif 000132
2020522372.tif 000133
2020522372.tif 000134
2020522372.tif 000135
2020522372.tif 000136